(57)【特許請求の範囲】
【請求項１】
ケース本体を備えるケース部材と、
該ケース部材に装着されて、該ケース本体とともに内部に遊技機用制御基板を収納する収納体を構成するカバー部材と、
を具備し、
前記カバー部材に設けられるカバー側固定部と、前記ケース部材に設けられるケース側固定部とが封止ピンで固定されることによって封止されるとともに、前記封止ピンの取り外しを防止するための防犯キャップが装着される遊技機用制御基板収納用ユニットであって、
前記カバー側固定部と前記ケース側固定部とには相互に連通するピン差込部が各々形成され、
前記カバー側固定部が、前記ケース側固定部の方向とは逆対向に突出しつつ前記カバー側固定部のピン差込部を周回状に包囲する筒状壁を具備し、
前記封止ピンは、前記筒状壁の突端側から前記筒状壁、前記カバー側固定部のピン差込部、前記ケース側固定部のピン差込部の順に差し込まれて前記カバー側固定部と前記ケース側固定部とを固定し、
前記防犯キャップが、キャップ本体と、該キャップ本体と一体とされつつ該キャップ本体の内側において該キャップ本体の周壁部との間に間隔をあけた状態に設けられる内側押圧部とを具備するとともに、前記封止ピンを前記ケース側固定部の方向に押圧しつつ前記周壁部と前記内側押圧部との間に前記筒状壁を圧入する状態で、前記筒状壁に装着されることを特徴とする遊技機用制御基板収納用ユニット。
【請求項２】
前記キャップ本体は天井部を備える略筒状体によって構成され、
前記内側押圧部が、前記キャップ本体の内側において前記キャップ本体と同心状とされつつ前記天井部から突出する略筒状体によって構成されるとともに、
前記天板部において前記キャップ本体の周壁部と前記内側押圧部が突出する部分との間に位置する部位に対して、前記天井部を肉厚方向に貫通する複数個の破壊用孔が間隔をおいて形成されることを特徴とする請求項１に記載の遊技機用制御基板収納用ユニット。
【請求項３】
前記ケース部材が、
前記ケース本体と、
所定の遊技機若しくは該遊技機に装着されるステーに取り付けられる取付部材と、を備え、
前記ケース本体が、前記カバー部材と取付部材との間に挟まれた状態に配設され、
前記ケース側固定部が、前記ケース本体と前記取付部材とのうちの少なくとも前記取付部材に設けられ、
前記ケース本体には、前記カバー側固定部のピン差込部と、前記取付部材に設けられるピン差込部とを連通させる連通口が形成されるとともに、
前記筒状壁の突端側から前記筒状壁、前記カバー側固定部のピン差込部、前記連通口の順に差し込まれた封止ピンが、前記取付部材のピン差込部に差し込まれることを特徴とする請求項１又は２に記載の遊技機用制御基板収納用ユニット。
【請求項４】
前記カバー側固定部と前記ケース側固定部とには相互に連通するピン差込部が複数組設けられるとともに、
前記カバー側固定部が、前記ケース側固定部の方向とは逆対向に突出しつつ各カバー側固定部の差込部を周回状に包囲する筒状壁を具備することを特徴とする請求項１〜３の何れか一項に記載の遊技機用制御基板収納用ユニット。
【請求項５】
前記封止ピンが、
前記筒状壁の内側に収納されるとともに外周部のうちで軸心方向に沿った複数の位置から係合部を突出させた頭部と、
該頭部から略片持梁状に突出しつつ突端部に係合部を有する脚部と、
を備え、
前記頭部の係合部が前記筒状壁の内壁部に係合し、前記脚部の係合部が前記ケース側固定部に係合することを特徴とする請求項１〜４の何れか一項に記載の遊技機用制御基板収納用ユニット。
【請求項６】
請求項１〜５の何れか一項に記載の遊技機用制御基板収納用ユニットを備えることを特徴とする遊技機。
【発明の詳細な説明】
【技術分野】
【０００１】
本発明は、遊技機用制御基板収納用ユニットと、かかる遊技機用制御基板収納用ユニットを有する遊技機に関し、スロットマシン（若しくはパチスロ）と称される回胴式遊技機や、セブン機、羽根物、権利物等の弾球遊技機に対して適用することができる。
【背景技術】
【０００２】
回胴式遊技機や弾球遊技機は、遊技を制御するためのための遊技機用制御基板（以下、「制御基板」という。）を備えている。そして、この種の制御基板の中には、種々の目的で、所定の遊技機用制御基板収納用ユニット（以下、「制御基板収納用ユニット」という。）に収納して用いられるものがある。例えば、ケース部材と、このケース部材に装着されるカバー部材とを具備する制御基板収納用ユニットに制御基板を収納して用いることがある。
【０００３】
回胴式遊技機や弾球遊技機においては、例えば、制御基板に実装された電子部品（ＲＯＭ等）を不正な電子部品（ＲＯＭ等）に交換したり、制御基板そのものを不正な制御基板に交換するという不正行為等を防止することが要求される。また、仮に、この種の不正行為が行われた場合においても、当該「不正行為の実行」を早期に発見可能であることが要求される。
【０００４】
このため、ケース部材に設けられるケース側固定部と、カバー部材に設けられるカバー側固定部とを雄ネジ（ビス）等の封止手段で連結固定して制御基板収納用ユニットを封止すると共に、「雄ネジの不正な取り外しを防止するための防犯キャップ」をカバー部材に装着することが行われている（特許文献１を参照、以下、「従来例」という。）。つまり、カバー側固定部を上下に長尺な穴部によって形成し、カバー側固定部の奥端側に位置する底部と、ケース側固定部とを雄ネジ（封止手段）を用いて固定する。尚、この雄ネジによる固定作業は、穴部の開口部から工具（ドライバー等）を挿入して行われる。
【０００５】
更に、この従来例では、「雄ネジによる固定作業」の後、穴部の開口部に防犯キャップが装着される。この従来例に係る防犯キャップは、破壊を施さなければ、カバー部材（制御基板収納用ユニット）から取り外すことができないように構成されている。そして、この従来例にかかる制御基板収納用ユニットにおいては、この防犯キャップが付加された分だけ、不正行為の実行が困難となる。しかも、制御基板収納用ユニットに不正な開放操作が施されると、その痕跡が残るため、「不正行為の実行」を早期に発見することができる。
【特許文献１】特開２００４−１１３５２６号公報
【発明の開示】
【発明が解決しようとする課題】
【０００６】
しかし、この従来例には以下のような問題点が存在する。つまり、「雄ネジによる固定作業」は、穴部の奥端に雄ネジを挿入しつつ、穴部の外側から工具（ドライバー等）を操作するという、面倒な作業である。しかも、防犯キャップをカバー部材に装着する作業を、「雄ネジによる固定作業」の後に別作業として行うことが必要となる。このため、この従来例によると、遊技機の製造時や、遊技機の保守・点検時等において、制御基板収納用ユニットの組立作業の手間が多くなるという問題点を有している。
【０００７】
本発明は、このような問題を解決するためになされたものであり、その目的とするところは、組立作業の手間を少なくしつつ、不正行為の防止を図る上で有効な制御基板収納用ユニットと、かかる制御基板収納用ユニットを備える遊技機を提供することにある。
【課題を解決するための手段】
【０００８】
請求項１記載の制御基板収納用ユニットは、
ケース本体を備えるケース部材と、
該ケース部材に装着されて、該ケース本体とともに内部に遊技機用制御基板を収納する収納体を構成するカバー部材と、
を具備し、
前記カバー部材に設けられるカバー側固定部と、前記ケース部材に設けられるケース側固定部とが封止ピンで固定されることによって封止されるとともに、前記封止ピンの取り外しを防止するための防犯キャップが装着される遊技機用制御基板収納用ユニットであって、
前記カバー側固定部と前記ケース側固定部とには相互に連通するピン差込部が各々形成され、
前記カバー側固定部が、前記ケース側固定部の方向とは逆対向に突出しつつ前記カバー側固定部のピン差込部を周回状に包囲する筒状壁を具備し、
前記封止ピンは、前記筒状壁の突端側から前記筒状壁、前記カバー側固定部のピン差込部、前記ケース側固定部のピン差込部の順に差し込まれて前記カバー側固定部と前記ケース側固定部とを固定し、
前記防犯キャップが、キャップ本体と、該キャップ本体と一体とされつつ該キャップ本体の内側において該キャップ本体の周壁部との間に間隔をあけた状態に設けられる内側押圧部とを具備するとともに、前記封止ピンを前記ケース側固定部の方向に押圧しつつ前記周壁部と前記内側押圧部との間に前記筒状壁を圧入する状態で、前記筒状壁に装着されることを特徴とする。
【０００９】
請求項１の発明で、防犯キャップが、そのキャップ本体の周壁部と、内側押圧部とで筒状壁を挟持するため（つまり、筒状壁の外周面と内周面とを挟みこんでいるため）、痕跡を残さずに防犯キャップをカバー部材から取り外すことが困難である。よって、請求項１の発明の制御基板収納用ユニットにおいては、「防犯キャップを不正に取り外し、その封止を不正に解除するという不正行為」を施すことが困難である。しかも、仮に、不正行為が行われた場合でも、破壊された防犯キャップによって不正行為の痕跡が残るため、「不正行為の実行」を早期に発見することができる。
【００１０】
更に、請求項１の発明の制御基板収納用ユニットには、防犯キャップを装着する作業と、封止ピンを装着する作業とを同時に、しかも、工具を用いずに行うことができる。例えば、封止ピンの先端部（差込方向に沿った先端部）を、「ケース側固定部の差込部」の入口部（差込方向に沿った入口部）と同心状に位置合わせしたり、封止ピンの先端部を当接させたり、或いは、封止ピンの先端部を、「ケース側固定部の差込部」の入口部側に挿入する。この状態で防犯キャップを筒状壁に装着する作業を行うと、防犯キャップが、封止ピンをその差し込み方向（つまり、ケース側固定部の方向）に押し込むからである。
【００１１】
このように、請求項１の発明によると、不正行為の防止や、不正行為が施された場合の早期発見を可能としつつも、「封止ピンを用いた封止作業」と、「防犯キャップを用いた封止解除の阻止作業」とを同時に行うことができる。このため、請求項１の発明によると、組立作業の手間を少なくしつつ、不正行為の防止を図る上で有効な制御基板収納用ユニットを得ることができる。
【００１２】
但し、請求項１の発明は、「封止ピンを用いた封止作業」と「防犯キャップを用いた封止解除の阻止作業」とを別々に行う態様を排除するものではない。つまり、封止ピンを筒状壁の突端側から（開口部の側から）、筒状壁、カバー側固定部の差込部、ケース側固定部の差込部の順に差し込み、この封止ピンをカバー側固定部とケース側固定部との双方に固定してカバー側固定部とケース側固定部とを連結固定した後に、防犯キャップを筒状壁に装着する態様を排除するものではない。この態様では、「封止ピンを用いた封止作業」の際に、作業者の指等で封止ピンを押し込んでもよいし、工具（棒状の工具）等を用いて押し込んでもよい。但し、何れの場合においても、封止ピンを単に押し込めば足りるため（つまり、封止ピンをその軸心回りに回転させる等の面倒な作業を要求されないため）、「封止ピンを用いた封止作業」の手間を多くすることはない。
【００１３】
各請求項の発明においては、例えば、ケース部材を所定の遊技機に対して直接装着したり、ステー（ブラケット）を介して間接的に装着することができる。また、各請求項の発明において、ケース部材をケース本体のみで構成してもよいし、ケース本体とこのケース本体に装着される他の部材（例えば、請求項３の発明の取付部材を例示できるが、その数は単数であってもよいし、複数であってもよい。）とで構成することもできる。
【００１４】
各請求項の発明においては、ケース本体（ケース本体＝ケース部材であるか否かを問わない。）と、カバー部材の構成を種々選択することができる。例えば、ケース本体及びカバー部材の双方を略容器形状としてもよい。この場合、例えば、両者の開口部同士を連結して、制御基板を収納する収納体を構成することができる。また、ケース本体及びカバー部材のうちの一方を略容器形状とし、他方をその開口部を閉鎖する蓋形状とすることもできる。尚、各請求項の発明においては、ケース本体（ケース本体＝ケース部材であるか否かを問わない。）及びカバー部材を透明な素材（例えば、透明な合成樹脂）によって構成することが望ましい。制御基板収納用ユニットの主要部が透明であると、制御基板収納用ユニット内の制御基板に不正な改良が施された場合に、制御基板収納用ユニットの外部から、「不正な改良」を発見することもできるからである。
【００１５】
ケース部材（ケース本体＝ケース部材であるか否かを問わない。）と、カバー部材とは、制御基板収納用ユニットの開放時（封止の解除時）に分離不可能とされてもよいし、分離可能とされてもよい。ここで、分離不可能な場合の具体例（以下、「具体例１」という。）としては、例えば、カバー部材の一端部をケース部材の一端部にヒンジ機構を介して支持すると共に、ケース部材の他端部とカバー部材の他端部とが当接したり、離間するように、カバー部材を回動させて開閉を行う制御基板収納用ユニットを例示できる。この具体例１では、カバー部材の外周部のうちで一端部以外の部位（例えば、他端部）にカバー側固定部を設け、ケース部材の外周部のうちで、制御基板収納用ユニットを閉鎖させたときに、カバー側固定部と重ね合わせ可能な部位にケース側固定部を設ける態様を例示できる。但し、具体例１において、カバー部材の外周部のうちで一端部（ヒンジ機構が配設される部位）を除く全域にカバー側固定部を設け、ケース部材の外周部の全域にケース側固定部を設けてもよい。
【００１６】
分離可能な場合の一の具体例（以下、「具体例２」という。）としては、例えば、ケース部材の前面部でカバー部材をスライドさせて、開閉を行う制御基板収納用ユニットを例示できる。この具体例２では、カバー部材の外周部の何れかの部位にカバー側固定部を設け、ケース部材の外周部のうちで、制御基板収納用ユニットを閉鎖させたときに、カバー側固定部と重ね合わせ可能な部位にケース側固定部を設ける態様を例示できる。
【００１７】
また、分離可能な場合の他の具体例（以下、「具体例３」という。）としては、例えば、ケース部材の前面部の前方でカバー部材を前後に移動させて、開閉を行う制御基板収納用ユニット（蓋と、容器のように開閉する制御基板収納用ユニット）等を例示することもできる。この具体例３では、カバー部材の外周部のうちの２カ所以上の部位（例えば、左右の側縁部や上下の側縁部）の部位にカバー側固定部を設け、ケース部材の外周部のうちで、制御基板収納用ユニットを閉鎖させたときに、カバー側固定部と重ね合わせ可能な部位にケース側固定部を設ける態様を例示できる。但し、具体例２及び具体例３において、カバー部材の外周部の全域にカバー側固定部を設け、ケース部材の外周部の全域にケース側固定部を設けてもよい。
【００１８】
各請求項の発明においては、制御基板収納用ユニットの閉鎖時（つまり、カバー部材でケース部材を閉鎖した時）に、例えば、カバー側固定部とケース側固定部とが重ね合わせた状態（対向配置された状態）とされるが、この場合、両者を当接する状態（隙間無く重ね合わされた状態）としてもよいし、両者間に隙間が存在する状態としてもよい。また、各請求項の発明において、カバー側固定部及びケース側固定部の各ピン差込部を、例えば、孔形状（カバー側固定部やケース側固定部を貫通する孔形状）に構成したり、切り欠き状（カバー側固定部やケース側固定部を貫通しつつ、端部で開口する切り欠き状）に構成することもできる。
【００１９】
各請求項の発明の「封止ピン」としては、例えば、頭部（フランジ部）と、頭部から略片持ち梁状（請求項５の発明を参照）若しくは軸状（直線状）に突出する脚部と、を備えるものを例示できる。この場合において、脚部の突端部を先頭に、筒状壁、カバー側固定部のピン差込部、ケース側固定部のピン差込部の順に差し込まれる。そして、脚部はカバー側固定部のピン差込部及びケース側固定部のピン差込部の差し込み可能とされる。一方、頭部は筒状壁の内側に挿入可能であるが、カバー側固定部のピン差込部に挿入不能とされる。
【００２０】
この「封止ピン」では、脚部をケース側固定部に抜け止め状態に係合したり、脚部をケース側固定部のピン差込部に圧入すること等によって、カバー側固定部とケース側固定部を固定することができる。但し、この「封止ピン」においては脚部がカバー側固定部に係合若しくは圧入等されてもよいし、頭部が筒状壁内に係合若しくは圧入等されてもよい。
【００２１】
筒状壁の断面形状は、真円形に限定されず、楕円形、多角形状、三角形状等であってもよい。また、筒状壁の断面形状が対称形状である場合（真円形、楕円形、正多角形状、正三角形状等）には、カバー側固定部のピン差込部と、ケース側固定部のピン差込部と、筒状壁とが同心状（つまり、同軸上に並ぶ状態）とされてもよい。
【００２２】
各請求項の発明の「キャップ本体」としては、天井部を備える筒形状（有底の筒形状を逆さにした形状）とされるものを例示できる。また、各請求項の発明の「内側押圧部」としては、キャップ本体の内側（内部）において周回状に配設される内壁部若しくはリブであって、キャップ本体の周壁部との距離（キャップ本体の周壁部の内壁面との隙間）が、周方向に沿って一定であるものを例示できる。例えば、キャップ本体の周壁部が円筒形である場合、この周壁部と同心状に配設される円筒形の内壁部若しくは円筒形のリブ等を例示できる。
【００２３】
各請求項の発明においては、この「内側押圧部」をキャップ本体の天井部（有底の筒形状のキャップ本体の底部）から垂下する内壁部若しくはリブとして構成することができる。この場合、キャップ本体の内側において、キャップ本体の周壁部と、内側押圧部との間に周回状の溝（環状の溝）が設けられ、この溝に筒状壁が圧入（嵌合）されることになる。また、「内側押圧部」を構成する内壁部やリブは必ずしも周回状に形成される必要はなく、例えば、円弧状に形成される内壁部やリブによって構成ことができる。更に、キャップ本体の周壁部の内壁面との間に間隔をあけた状態に設けられる突起等によって構成することもできる。また、筒状壁において周壁部と内側押圧部との間に圧入される部分は、必ずしも、筒状壁の軸心方向に沿った全域である必要はなく、例えば、上端側のみであってもよい。
【００２４】
尚、本出願書類において特に断らない場合、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、受皿扉部材等の扉状部材の「左」、「右」、「前」、「後」等は、これらの扉状部材が使用状態にある場合、つまり、閉鎖された状態にある場合を基準としたものである。
【００２５】
請求項２に記載の制御基板収納用ユニットは、請求項１に記載の制御基板収納用ユニットにおいて、
前記キャップ本体は天井部を備える略筒状体によって構成され、
前記内側押圧部が、前記キャップ本体の内側において前記キャップ本体と同心状とされつつ前記天井部から突出する略筒状体によって構成されるとともに、
前記天板部において前記キャップ本体の周壁部と前記内側押圧部が突出する部分との間に位置する部位に対して、前記天井部を肉厚方向に貫通する複数個の破壊用孔が間隔をおいて形成されることを特徴とする。
【００２６】
請求項２の発明では、内側押圧部を略筒形状に構成し、防犯キャップと筒状壁との間の接触面が十分に確保されるため、防犯キャップを筒状壁に堅固に装着できる。また、請求項２の発明では、このように、防犯キャップの筒状壁への堅固な装着を可能としつつも、修理・保守等の際に、制御基板収納用ユニットを開放状態とすることが容易である。つまり、天井部において破壊用孔の間に位置する部位を破壊すること（例えば、ニッパー等の工具で切り込みを入れること）によって、内側押圧部をキャップ本体から分離して防犯キャップを、筒状壁から取り外すことができる。若しくは、天井部において破壊用孔の間に位置する部位を破壊することによって、天井部に工具の挿入口を設け、この挿入口より工具を挿入して封止ピンを取り外すことができるからである。
【００２７】
請求項２の発明の「内側押圧部」を、天井部から略筒状に突出する壁部によって構成しても、天井部から略筒状に突出するリブによって構成してもよい。尚、請求項２の発明においては、筒状壁が略円筒状に構成される場合、キャップ本体を、天井部を備える略円筒形状（有底の円筒形状を逆さまにした形状）に構成することができる。そして、天板部においてキャップ本体の周壁部と、内側押圧部が突出する部分との間に位置する部位に対して、天井部を肉厚方向に貫通しつつ、略円弧状の開口する破壊用孔を間隔をおいて複数個形成することができる。
【００２８】
請求項３に記載の制御基板収納用ユニットは、請求項１又は２に記載の制御基板収納用ユニットにおいて、
前記ケース部材が、
前記ケース本体と、
所定の遊技機若しくは該遊技機に装着されるステーに取り付けられる取付部材と、を備え、
前記ケース本体が、前記カバー部材と取付部材との間に挟まれた状態に配設され、
前記ケース側固定部が、前記ケース本体と前記取付部材とのうちの少なくとも前記取付部材に設けられ、
前記ケース本体には、前記カバー側固定部のピン差込部と、前記取付部材に設けられるピン差込部とを連通させる連通口が形成されるとともに、
前記筒状壁の突端側から前記筒状壁、前記カバー側固定部のピン差込部、前記連通口の順に差し込まれた封止ピンが、前記取付部材のピン差込部に差し込まれることを特徴とする。
【００２９】
請求項３の発明によると、カバー部材を、ケース部材を構成する取付部材に対して封止ピンを用いて固定することで、制御基板収納用ユニットの封止（カバー部材及びケース部材の固定）と、制御基板収納用ユニットの遊技機への取付（若しくは、遊技機に装着されるステーへの取付）を行うことができる。従って、遊技機の製造上の手間や、保守管理上の手間の軽減を図ることができる。
【００３０】
請求項３の発明においては、取付部材のみにケース側固定部を設け、このケース側固定部に単一若しくは複数個のピン差込部を設けてもよいし、取付部材及びケース本体の双方にケース側固定部を設け、取付部材及びケース本体の各々に単一若しくは複数個のピン差込部を設けてもよい。（請求項４の発明を参照。）
【００３１】
請求項４に記載の制御基板収納用ユニットは、請求項１〜３の何れか一項に記載の御基板収納用ユニットにおいて、
前記カバー側固定部と前記ケース側固定部とには相互に連通するピン差込部が複数組設けられるとともに、
前記カバー側固定部は前記ケース側固定部の方向とは逆対向に突出しつつ各カバー側固定部の差込部を周回状に包囲する筒状壁を具備することを特徴とする。
【００３２】
請求項４の発明では、各組のピン差込部及び筒状壁を用いて、制御基板収納用ユニットの封止と封止の解除とを複数回に渡って繰り返すことができるため、制御基板収納用ユニットの利便性（特に、メンテナンス、検査等の利便性）が向上する。尚、請求項４の発明では、「１組のピン差込部及びこれらに対応する１個の筒状壁」を用いて制御基板収納用ユニットの封止を行ってもよいし、「２組以上のピン差込部及びこれらに各々対応する２個の筒状壁」を同時に用いて、制御基板収納用ユニットをより堅固に封止することもできる。
【００３３】
請求項５に記載の制御基板収納用ユニットは、請求項１〜４の何れか一項に記載の制御基板収納用ユニットにおいて、
前記封止ピンが、
前記筒状壁の内側に収納されるとともに外周部のうちで軸心方向に沿った複数の位置から係合部を突出させた頭部と、
該頭部から略片持梁状に突出しつつ突端部に係合部を有する脚部と、
を備え、
前記頭部の係合部が前記筒状壁の内壁部に係合し、前記脚部の係合部が前記ケース側固定部に係合することを特徴とする。
【００３４】
請求項５の発明では、封止ピンに設けられた複数個の係合部を用いて、封止ピンを筒状壁及びケース側固定部に堅固に係合させることができる。しかも、このように、封止ピンが複数個の係合部を備えているが、この封止ピンの差し込み作業を封止キャップを介して行うため、この差し込み作業を円滑に行うことができる。尚、この点については更に後述する。
【００３５】
請求項６に記載の遊技機は、請求項１〜５の何れか一項に記載の遊技機用制御基板収納用ユニットを備えることを特徴とする。
【００３６】
請求項６の発明によると、組立作業の手間を少なくしつつ、不正行為の防止を図る上で有効な制御基板収納用ユニットを備える遊技機を得ることができる。尚、請求項６の発明は遊技機は、スロットマシン（若しくはパチスロ）と称される回胴式遊技機であってもよいし、弾球遊技機（パチンコ機）であってもよい。
【発明の効果】
【００３７】
以上記述したように請求項１〜５の各発明によれば、組立作業の手間を少なくしつつ、不正行為の防止を図る上で有効な制御基板収納用ユニットを得ることができる。また、請求項６の発明によれば、組立作業の手間を少なくしつつ、不正行為の防止を図る上で有効な制御基板収納用ユニットを備える遊技機を得ることができる。
【発明を実施するための最良の形態】
【００３８】
以下、発明を実施するための最良の形態を示す実施例について図面に基づいて説明する。以下に示す各実施例では、各請求項に係る発明を、遊技媒体として遊技メダルを用いる「スロットマシン」と称する遊技機１に適用した具体例について説明する。
【００３９】
（１）構造
ａ．機械的な構造
先ず、この遊技機１の前面側の全体構造（機械的な構造）について、図１〜図４を参照して説明する。この遊技機１は遊技機本体１Ｈと、この遊技機本体１Ｈの前面側に開閉可能な状態に装着された受皿扉ユニット３Ｂとを備えている。尚、この遊技機１（回胴式遊技機）においては、その外郭体を構成する部分が筐体２と称されている。
【００４０】
この筐体２は、図２及び図３に示すように、前面側（遊技者側）に開口する開口部を有する略容器状の外郭本体部３Ａと、前述の受皿扉ユニット３Ｂとを備えている。そして、外郭本体部３Ａは遊技機本体１Ｈの外郭部を構成する部材である。また、受皿扉ユニット３Ｂは外郭本体部３Ａの前面側左端縁にヒンジを介して装着され、外郭本体部３Ａの開口部を開閉可能とされている。
【００４１】
図２〜図４に示すように、外郭本体部３Ａ内の上下方向略中間部には図柄表示装置１０が配設されている。また、外郭本体部３Ａ内において図柄表示装置１０の上方に主制御基板収納ユニット８０が配設されている。この主制御基板収納ユニット８０には、遊技全体の基本制御を司る主制御基板（後述する。）１００Ａが格納されている。この主制御基板収納用ユニット８０は、制御基板収納用ユニットの具体例を構成するものであり、ステー７０を介して外郭本体部３Ａに取り付けられている（図４を参照）。尚、主制御基板収納ユニット８０とステー７０等の詳細については後述する。
【００４２】
また、図柄表示装置１０の下方にはリアスピーカ８Ｒが配設されている。更に、リアスピーカ８Ｒの下方には、投入された遊技メダルが集められるホッパ６５や、遊技メダルを払い出すメダル払出装置６５Ｈ等が配設されている。
【００４３】
図柄表示装置１０は筐体２の内部であって表示窓４（後述する。）の後方の位置に配設されている。この図柄表示装置１０は、フレーム１０Ｆと３つの表示リール（回胴）１１ａ〜１１ｃとを備えている。このうち、フレーム１０Ｆは前面部を開口部とする略容器形状を備えており、３つの表示リール１１ａ〜１１ｃを横方向に並べた状態で保持している。つまり、３つの表示リール１１ａ〜１１ｃは何れもその回転軸を水平に向けつつ、フレーム１０Ｆに回転可能な状態に保持されている。また、何れの表示リール１１ａ〜１１ｃも、その後半部をフレーム１０Ｆ内に収納し、その前半部をフレーム１０Ｆの開口部から前方に露呈させている。
【００４４】
表示リール（回胴）１１ａ〜１１ｃは、リールドラムとその外周面に貼着されたリール帯とを備えている。また、リールドラムは略円筒状の外形を備える枠状に構成され、フレーム１０Ｆ内において横方向に配設された支持軸によって回転可能な状態に支持されている。また、リール帯は、合成樹脂製で帯状の基材の表面に対し、透光性を備えるインクを用いて図柄を印刷（シルクスクリーン印刷等）した構成とされている。つまり、このリール帯の表面には、所定のコマ数（例えば、２１コマ）の図柄が所定間隔（等ピッチ）で連続されている。リール帯が、かかる構成を備えるため、各表示リール１１ａ〜１１ｃの外周面には複数の図柄が連続配置され、図柄列を構成している。
【００４５】
尚、図５（ｂ）に示すように、各表示リール１１ａ〜１１ｃの外周面には、（１）赤色の７を用いた図柄（以下、単に「赤７図柄」という。）と、（２）青色の７を用いた図柄（以下、単に「青７図柄」という。）と、（３）ＢＡＲなる文字を用いた図柄（以下、単に「ＢＡＲ図柄」という。）と、（４）ｒｅｐｌａｙなる文字を用いた図柄（以下、単に「ｒｅｐｌａｙ図柄」という。）と、（５）スイカの図形を用いた図柄（以下、単に「スイカ図柄」という。）と、（６）ベルの図形を用いた図柄（以下、単に「ベル図柄」という。）と、（７）チェリーの図形を用いた図柄（以下、単に「チェリー図柄」という。）と、が所定の間隔で連続配置され、図柄列を構成している。尚、各図において、「赤７図柄」を「白抜きの表示」で示し、「青７図柄」を「ハッチング」で示すことで、両者を区別している。
【００４６】
これらの表示リール１１ａ〜１１ｃは、各々に対応して設けられた駆動源（ステッピングモータ１２ａ、１２ｂ、１２ｃであって、図５を参照）を用いつつ、各々独立した状態で回転と停止とを実行可能とされている。
【００４７】
図２に示すように、遊技機本体１Ｈ（外郭本体部３Ａ）の右端側には上下に長尺な施錠装置１０Ｋ（図３では図示を省略）が装着されている。また、図３に示すように、遊技機本体１Ｈの右端側上部には扉センサ１０Ｓが装着されている。この扉センサ１０Ｓは「受皿扉ユニット３Ｂに開閉動作が施されるか否かを検出するための検出手段」である。
【００４８】
図１に示すように、受皿扉ユニット３Ｂは遊技機１の前面部を構成するものであり、扉本体３１Ｂと、扉本体３１Ｂから前方に突出する状態に配置された受扉本体３１１Ｂとを具備している。このうち、扉本体３１Ｂは、上部パネル部２Ａと、表示パネル部２Ｂと、操作パネル部２Ｃと、下方パネル部２Ｄと、受皿パネル部２Ｅとを備えている。このうち、上部パネル部２Ａは、本遊技機１の正面に着座する遊技者の略「視線の位置」よりも上方に配置されると共に、その中央に液晶表示装置６を配設している。この液晶表示装置６では、図柄変動遊技に伴う各種の演出を実行すると共に、遊技機１に関する情報（入賞図柄の態様や、個々の入賞態様毎の遊技メダルの付与枚数の表示等）を行う。また、上部パネル部２Ａにおいて、液晶表示装置６の周囲には演出効果を高めるためのランプ装置７とスピーカ８とが配置されている。
【００４９】
表示パネル部２Ｂは、上部パネル部２Ａの下方であって、本遊技機１の正面に着座する遊技者の略「視線の位置」に配置される。この表示パネル部２Ｂの中央には、横長の略矩形状の表示窓４が設けられている。この表示窓４には透明な板が装着されているため、筐体２の前方に位置する遊技者は、この表示窓４を通じて筐体２の内部（但し、表示窓４を通じて目視可能な範囲）を視認可能となっている。
【００５０】
扉本体３１Ｂの裏面部において表示窓４の下方の位置には、メダルセレクタ３１Ｖやコインシュータ３１Ｗ等が設けられている。このうち、メダルセレクタ３１Ｖはメダル投入ロ（後述する。）３１から投入された遊技メダルの通路を構成するものであり、投入された遊技メダルを主に寸法に基づいて選別し、規格寸法に適合した遊技メダルだけを受け入れる機能を有している。また、コインシュータ３１Ｗは遊技メダルを遊技メダル払出口（後述する。）４１に導くための通路を構成する。
【００５１】
筐体２内部の図柄表示装置１０は前述のように表示窓４の後方の位置に配設されている。そして、筐体２内の前方に位置する遊技者からは、表示窓４を通じて各表示リール１１ａ〜１１ｃの外周方向に沿った一部のみが視認可能とされている。つまり、図５（ａ）に示すように、各表示リール１１ａ〜１１ｃにおいては、「３コマの図柄に相当する円弧長を備える部分Ａ１〜Ａ３」が表示窓４を通じて前方に露呈している。
【００５２】
各表示リール１１ａ〜１１ｃは、遊技者から見てより上方に位置するコマがより下方に移動するように回転することで変動表示を実行する。つまり、各表示リール１１ａ〜１１ｃは、筐体２内で回転することにより、遊技者が表示窓４を通じて目視可能な部位（コマ）が順次変化する。このため、遊技者が表示窓４を通じて目視する図柄が循環状に変更され、これにより、図柄の変動表示が行われる。
【００５３】
図１に示すように、表示パネル部２Ｂの後方であって表示窓４の周囲に位置する部位には、多数のランプ２１ａ、２１ｂ、２１ｖ、２１ｗ、２１ｘ、２１ｙ等が配設されている。つまり、表示窓４の左側方の位置には、第１メダルラインランプ２１ａと、第２メダルラインランプ２１ｂと、第３メダルラインランプ２１ｃと、遊技開始表示ランプ２２とが設けられている。このうち、第１メダルラインランプ２１ａは、（１）遊技者によって１枚の遊技メダル（遊技媒体の具体例を構成）が賭けられたこと（以下、「ＢＥＴされたこと」といい、詳細は後述する。）、（２）役の成立確定を示すための表示（「チェリー」を除き、図柄を組み合わせた表示である。）が「第１の入賞ラインＮ１」に沿って確定表示されたことを示すためのランプである。
【００５４】
尚、本遊技機１においては、図５（ａ）に示すように５通りの入賞ラインＮ１〜Ｎ５が設定されている。つまり、第１の入賞ラインＮ１は表示窓４の上下方向に沿った中間部を水平に横切る状態に設定される入賞ラインである。また、第２の入賞ラインＮ２は、第１の入賞ラインＮ１よりも上方に位置しつつ表示窓４のを水平に横切る状態に設定される入賞ラインであり、第３の入賞ラインＮ３は、第１の入賞ラインＮ１よりも下方に位置しつつ表示窓４を水平に横切る状態に設定される入賞ラインである。また、第４の入賞ラインＮ４は、右上がり傾斜状に表示窓４を通過する状態に設定される入賞ラインであり、第５の入賞ラインＮ５は、左上がり傾斜状に表示窓４を通過する状態に設定される入賞ラインである。
【００５５】
第２メダルラインランプ２１ｂは、（１）遊技者によって２枚の遊技メダルがＢＥＴされたことと、（２）役の成立確定を示すための表示が「第２の入賞ラインＮ２」に沿って確定表示されたこと、若しくは、「第３の入賞ラインＮ３」に沿って確定表示されたことを示すためのランプである。また、第３メダルラインランプ２１ｃは、（１）遊技者によって３枚の遊技メダルがＢＥＴされたことと、（２）役の成立確定を示すための表示が「第４の入賞ラインＮ４」に沿って確定表示されたこと、若しくは、「第５の入賞ラインＮ５」に沿って確定表示されたことを示すためのランプである。
【００５６】
遊技開始表示ランプ２２は、表示リール１１ａ〜１１ｃの回転が開始可能であるときに点灯される。
【００５７】
表示パネル部２Ｂにおいて表示窓４の右側方の位置には、打止め表示ランプ２３と、再遊技ランプ２４と、ビッグボーナス告知ランプ２５ａ、２５ｂ、２５ｃと、遊技メダル投入ランプ２６とが設けられている。このうち、打止め表示ランプ２３は、遊技機１が打ち止め状態となったときに点灯される。また、再遊技ランプ２４は、再遊技役の入賞成立に基づく遊技（遊技メダルを使用することなく、実行可能な遊技）が行われることを示すためのランプである。更に、ビッグボーナス告知ランプ２５ａ、２５ｂ、２５ｃは、遊技機１が特別遊技状態に移行可能な状態にあること（本実施例では、ビッグボーナスゲームを実行できる遊技状態にあること）を示すためのランプである。また、遊技メダル投入ランプ２５は、遊技メダルを受け入れ可能であることを示すランプである。
【００５８】
表示パネル部２Ｂにおいて表示窓４の下側には、貯留枚数表示器２８ａと、役物当選回数表示器２８ｂと、払出枚数表示器２８ｃとが設けられている。このうち、貯留枚数表示器２８ａには、遊技機１に電子データとして貯留されている遊技メダルの枚数（いわゆるクレジット数）が表示され、役物当選回数表示器２８ｂには、レギュラーボーナス役の入賞可能回数等が表示される。また、払出枚数表示器２８ｃには、遊技機１から払い出される遊技メダルの枚数が表示される。
【００５９】
操作パネル部２Ｃは、表示パネル部２Ｂの下方において遊技者方向に突出する状態に形成されている。この操作パネル部２Ｃの上面部には、メダル投入ロ３１と、１ベットボタン３２ａと、３ベットボタン３２ｂと、が設けられている。また、操作パネル部２Ｃの前面部には、精算ボタン３３と、スタートレバー３５と、停止ボタン３６ａ、３６ｂ、３６ｃと、返却ボタン３８とが設けられている。
【００６０】
このうち、メダル投入ロ３１は、遊技メダルを遊技機１に投入するための投入口である。また、１ベットボタン３２ａは遊技機１に貯留されている遊技メダルのうちで、１枚をベットするためのボタンであり、３ベットボタン３２ｂは遊技機１に貯留されている遊技メダルのうちで、３枚をベットするためのボタンである。
【００６１】
精算ボタン３３は、例えば、遊技者が、遊技機１に貯留されている遊技メダルを外部に払い出したいときに使用されるボタンである。尚、遊技メダルは、図柄表示遊技において入賞の成立が確定した場合や、規定個数を超える個数の遊技メダルが遊技メダル投入口３１より投入された場合等には、上限数を５０個として遊技機１の内部に貯留される。また、スタートレバー３５は、表示リール１１ａ〜１１ｃの回転を開始させるために用いられる。
【００６２】
停止ボタン３６ａ、３６ｂ、３６ｃは、個々の表示リール１１ａ〜１１ｃ毎に対応して設けられている。そして、遊技者が、個々の表示リール１１ａ〜１１ｃを停止させることを意図した場合に、この遊技者によって操作される。尚、左端の「表示リール（第１表示リール）１１ａ」に停止操作を施す際には左端の停止ボタン３６ａが使用され、中央の「表示リール（第２表示リール）１１ｂ」に停止操作を施す際には中央の停止ボタン３６ｂ」が使用されると共に、右端の「表示リール（第３表示リール）１１ｃ」に停止操作を施す際には右端の停止ボタン３６ｃが使用される。
【００６３】
返却ボタン３８は、遊技機１に投入された遊技メダルが、この遊技機１内部で詰まった場合に、この詰まりを解消する際に押されるボタンである。
【００６４】
下方パネル部２Ｄは、操作パネル部２Ｃの下方に配置され、その前面部に「装飾用のセル画（図示を省略）」等を配置している。
【００６５】
図２に示すように、受皿パネル部２Ｅは下方パネル部２Ｄの下方に（つまり、扉本体３１Ｂの最下方位置に）に配設されている。そして、受皿パネル部２Ｅは前面部下端側からは受皿本体３１１Ｂが突出している。この受皿本体３１１Ｂは上方に開口する略皿形状とされている。また、受皿パネル部２Ｅの前面部下端側には遊技メダル払出口４１が設けられており、この遊技メダル払出口４１から払い出される遊技メダルが、受皿本体３１１Ｂに受け止められる。
【００６６】
ｂ．電子制御装置の構造
次に、本遊技機１を構成する電子制御装置の概略（本遊技機１の制御回路全体の構成の概略）について、図６参照して説明する。この電子制御装置は、主制御部（メイン制御部）１００と、サブ制御部２００とを主要部として構成されている。
【００６７】
主制御部１００は、遊技の基本進行を司る制御部（つまり、遊技制御部）であり、内部抽選（後述する。）等、本遊技機１において重要な処理を実行する。また、主制御部１４０は、各種情報発信手段（スタートレバー３５、停止ボタン３６ａ〜３６ｃ、１ＢＥＴボタン３２ａ、３ＢＥＴボタン３２ａ、位置検出センサ１２ａ〜１２ｃ等）から出力される情報を受け取って、所定の演算を行った後、サブ制御部２００等に各種のコマンドを出力する。
【００６８】
主制御部１００は、主制御基板１００Ａを用いて構成されている。この主制御基板１００は、制御基板（遊技機用制御基板）の一具体例を構成するものであり、種々の制御プログラムを実行するＣＰＵ１０１と、ワークメモリ等として機能するＲＡＭ１０２と、制御プログラムや内部抽選に用いるデータ等を格納したＲＯＭ１０３を含む構成とされている。
【００６９】
サブ制御部２００は、主制御部１００に対して所定の伝送経路１２０を用いて接続されている。但し、この伝送経路１２０によるデータの伝送は、主制御部１００からサブ制御部２００への一方向のみ可能とされている（サブ制御部２００から主制御部１００へのデータの伝送は不可能とされている。）。
【００７０】
サブ御部２００は、主制御部１００の管理の下で主に遊技上の演出を司る制御部（副制御部）であり、サブ制御基板２００Ａを用いて構成されている。このサブ制御基板２００Ａは、制御基板（遊技機用制御基板）の他の具体例を構成するものであり、種々の制御プログラムを実行するＣＰＵ２０１と、ワークメモリ等として機能するＲＡＭ２０２と、制御プログラム等を格納したＲＯＭ２０３含む構成とされている。また、サブ制御部２００には、表示装置駆動回路部６Ａを介して液晶表示装置６が接続されると共に、スピーカ駆動回路部８Ａを介してスピーカ８、８Ｒが接続されている。また、このサブ制御部２００には、照明駆動回路部９Ａを介してランプ２１ｖ、２１ｗ、２１ｘ、２１ｙ等が接続されている。
【００７１】
主制御部１００には、中継基板３００を介して、スタートレバーユニット３５Ａと、停止ボタン３６ａ〜３６ｃと、精算ボタン３３と、１ＢＥＴボタン３２ａと、３ＢＥＴボタン３２ｂと、返却ボタン３８とが接続されている。尚、このスタートレバーユニット３５Ａは、前述のスタートレバー３５と、このスタートレバー３５に施された操作を検出するための「操作検出回路部（図示せず）」等を用いて構成されている。
【００７２】
スタートレバー３５が操作されたことを「操作検出回路部（図示せず）」が検出すると、操作された旨を示す信号（以下、「操作信号」という。）が、中継基板３００を介して主制御部１００に伝送されるため、主制御部１００は、スタートレバー３５の操作状態を認識することができる。また、停止ボタン３６ａ〜３６ｃ、精算ボタン３３、ＢＥＴボタン３２、若しくは、返却ボタン３８が操作されると、「操作信号」が、中継基板３００を介して主制御部１００に伝送されるため、主制御部１００は、この「操作信号」によって、これらのボタン３６ａ〜３６ｃ、３３、３２、３８の操作状態を認識できる。
【００７３】
また、主制御部１００には、中継基板３００を介して、貯留枚数表示器２８ａと、役物当選回数表示器２８ｂと、払出枚数表示器２８ｃと、各種ランプ装置７、２１ａ〜２１ｃ、２２〜２６等が接続されている。
【００７４】
主制御部１００は、モータ駆動回路部５０を介して、図柄表示装置１０が接続されている。また、図柄表示装置１０は、表示リール１１ａ〜１１ｃと、個々の表示リール１１ａ〜１１ｃ毎に配置されたモータ（ステッピングモータ）１２ａ〜１２ｃと、個々の表示リール１１ａ〜１１ｃ毎に配置されたセンサ（光学センサ）１３ａ〜１３ｃと、備える。また、センサ（光学センサ）１３ａ〜１３ｃは、リール位置検出回路部５５を介して主制御部１００に接続されている。
【００７５】
各モータ（ステッピングモータ）１２ａ〜１２ｃは、各々、対応する表示リール１１ａ〜１１ｃの回転と、停止とを実行するためのモータである。また、各モータ（ステッピングモータ）１２ａ〜１２ｃのシャフトは、対応する表示リール１１ａ〜１１ｃの回転軸として用いられている。更に、各モータ（ステッピングモータ）１２ａ〜１２ｃの回転動作と停止動作は、主制御部１００から送信される制御信号を用いて制御されている。
【００７６】
センサ（光学センサ）１３ａ〜１３ｃは、対応する表示リール１１ａ〜１１ｃに設けられたインデックス部（基準位置を特定するためのものであって、図示を省略）の通過を検出するに用いられる。つまり、各表示リール１１ａ〜１１ｃの周方向に沿った特定の位置に設けられたインデックス部は、各表示リール１１ａ〜１１ｃと一体で回転し、一回転する間（３６０度回転する間）に、一度だけ、センサ（光学センサ）１３ａ〜１３ｃの検出範囲を通過する。そして、回転する表示リール１１ａ〜１１ｃに設けられたインデックス部が、センサ（光学センサ）１３ａ〜１３ｃの検出範囲を通過する度に、このセンサ（光学センサ）１３ａ〜１３ｃからリール位置検出回路部５５に通過信号が送信される。
【００７７】
このように、リール位置検出回路部５５が通過信号を受信すると、このリール位置検出回路部５５から、主制御部１００に検出信号が送信される。このため、主制御部１００は、この検出信号を用いて、各表示リール１１ａ〜１１ｃの現状の位相（回転角度）を把握することができる。つまり、検出信号の受信のタイミングと、この受信後に各モータ（ステッピングモータ）１２ａ〜１２ｃに供給した駆動パルスの数と、を主制御部１００が管理する。これによって、この主制御部１００は、各表示リール１１ａ〜１１ｃの現状の位相（回転角度）を把握することができる。
【００７８】
本遊技機１では、主制御部１００が各表示リール１１ａ〜１１ｃの現状の位相（回転角度）を正確に把握することができることを利用して、所謂「引き込み制御」を実行する。この「引き込み制御」とは、各停止ボタン３６ａ〜３６ｃが操作され、主制御部１００に操作信号（停止信号）が入力されても、対応する表示リール１１ａ〜１１ｃ（対応するモータ１２ａ〜１２ｃ）の回転を瞬時に停止されるのではなく、必要に応じて、この表示リール１１ａ〜１１ｃを付加的な回転角度分だけ回転させた後に回転を停止させるような制御を指す。例えば、各停止ボタン３６ａ〜３６ｃが操作され、主制御部１００に操作信号（停止信号）が入力された後に、必要に応じ、所定のコマ数（例えば４コマ）を限度として複数の図柄分だけ、対応する表示リール１１ａ〜１１ｃを付加的に回転させた後、当該、表示リール１１ａ〜１１ｃの停止を完了する制御を指す。かかる「引き込み制御」を行うと、主制御部１００は、有効な入賞ライン（有効ライン）上に、所望の図柄を停止可能なように、表示リール１１ａ〜１１ｃを停止させることができる。
【００７９】
また、主制御部１００には、ホッパ駆動回路部６０を介してホッパ６５が接続されている。そして、このホッパ６５が駆動すると、遊技メダル払出口４１から受け皿部２Ｅに向かって、所定数の遊技メダルが払い出される。また、主制御部１００には扉センサ１０Ｓが接続されているため、扉センサ１０Ｓから出力される信号（ＯＮ信号、ＯＦＦ信号）は主制御部１００に入力を経てホールコンピュタＨＰＣとサブ制御部２００へ送信される。そして、サブ制御部２００は、この信号（ＯＮ信号、ＯＦＦ信号）に基づいて動作選択用装置７８の駆動を制御する。
【００８０】
（２）図柄変動遊技の概略
次に、図７を用いて遊技機１で実施される図柄変動遊技について説明する。先ず、規定枚数の遊技メダルがベットされると、そのベット数に応じて入賞ラインＮ１〜Ｎ５が有効化される。ここで、本遊技機１は、３枚賭け専用の遊技機であるため、規定枚数は一律に３枚であると共に、図柄変動遊技を開始する際には、常に、全ての入賞ラインＮ１〜Ｎ５が有効化される。但し、後述する「ジャックゲーム中」は、１枚賭けで、図柄変動遊技を開始できる。
【００８１】
そして、スタートレバー３５が操作され、図柄変動遊技の開始条件が成立すると、全表示リール１１ａ〜１１ｃの回転を開始し、図柄表示装置１０のうちで、表示窓４を通じて視認可能な部位（３個のコマに相当する円弧長の部位）で複数の図柄が循環的に表示され、図柄の変動表示が開始される。また、スタートレバー３５が操作されると、主制御部１００において、所謂「内部抽選」が開始される。この「内部抽選」は、役の成立を許容するか否を抽選するために行われるものである。
【００８２】
「内部抽選」が完了するころに、全表示リール１１ａ〜１１ｃの回転速度が一定になる。そして、遊技者が、各停止ボタン３６ａ、３６ｂ、３６ｃを所望の順序で操作すると（例えば、順押し）、各表示リール１１ａ〜１１ｃが、各停止ボタン３６ａ、３６ｂ、３６ｃの操作順序に対応した順に停止する。尚、通常、表示リール１１ａ〜１１ｃは、内部抽選の結果と、各停止ボタン３６ａ、３６ｂ、３６ｃに施された操作態様とに基づいて、所定の位相（角度位置）で停止する。つまり、表示リール１１ａ〜１１ｃを停止させるときに、前述の「引き込み制御」が実行される。
【００８３】
このように、全表示リール１１ａ〜１１ｃの回転が停止すると、一回の図柄変動遊技を終了する。そして、図柄表示装置１０において、予め設定された有効ライン（本実施例では、Ｎ１〜Ｎ５）に沿って停止表示された停止図柄によって、当該「図柄変動遊技の結果（役の成立が確定したか否か）」が判定される。そして、有効ラインＮ１〜Ｎ５に沿って停止表示された停止図柄によって構成される表示が、内部抽選で当選した役を成立させる確定表示となり、当該役の成立が確定を示す「確定表示（入賞役確定表示、若しくは、再遊技役確定表示）」がなされると、遊技者には、遊技機１の遊技状態に応じて、以下に示すような遊技価値が付与される。
【００８４】
ａ．一般遊技状態の場合
遊技機１の遊技状態が、一般遊技状態（後述する。）であるときには、確定表示の態様に応じて、図１７に示すような遊技価値が付与される。つまり、（１）何れかの有効ラインＮ１〜Ｎ５に沿って、「７（赤）図柄」、若しくは、「７（青）図柄」が、３つ揃った状態に確定表示されると（つまり、「ＢＢ入賞役の確定表示がなされると）、ビッグボーナス役（以下、「ＢＢ役」といい、詳細を後述する。）の成立が確定し、１５枚の遊技メダルが付与される。
【００８５】
（２）何れかの有効ラインＮ１〜Ｎ５に沿って、「ＢＡＲ図柄」が、３つ揃った状態に確定表示されると（つまり、ＲＢ入賞役の確定表示がなされると）、レギュラーナス役（以下、「ＲＢ役」といい、詳細を後述する。）の成立が確定し、１５枚の遊技メダルが付与される。
【００８６】
（３）何れかの有効ラインＮ１〜Ｎ５に沿って、「ベル図柄」が、３つ揃った状態に確定表示されると（つまり、ベルの小役の確定表示がなされると）、ベルの小役の成立が確定し、１５枚の遊技メダルが付与される。また、（４）何れかの有効ラインＮ１〜Ｎ５に沿って、「スイカ図柄」が、３つ揃った状態に確定表示されると（つまり、スイカの小役の確定表示がなされると）、スイカの小役の成立が確定し、１０枚の遊技メダルが付与される。更に、（５）有効ラインＮ１〜Ｎ５上の何れかの位置に、「チェリー図柄」が、確定表示されると（つまり、チェリーの小役の確定表示がなされると）、チェリーの小役の成立が確定し、２枚の遊技メダルが付与される。更に、（６）何れかの有効ラインＮ１〜Ｎ５に沿って、「ｒｅｐｌａｙ図柄（リプレイ図柄）」が、３つ揃った状態に確定表示されると（つまり、再遊技役の確定表示がなされると）、再遊技役が確定し、再遊技に係る遊技価値が付与される。
【００８７】
ｂ．レギュラーナスゲームを実行する遊技状態の場合
遊技機１の遊技状態が、レギュラーボーナスゲーム（以下、「ＲＢゲーム」という。）を実行する状態にあるときには、確定表示の態様に応じて以下のような遊技価値が付与される。つまり、（１１）何れかの有効ラインＮ１〜Ｎ５に沿って、「リプレイ図柄」が、３つ揃った状態に確定表示されると（以下、「ジャック入賞確定図柄」と称することがある。）、１５枚の遊技メダルが付与される。尚、以下の説明においてレギュラーボーナスを「ＲＢ」と表記する。
【００８８】
ｃ．ビッグボーナスゲームを実行する遊技状態の場合
遊技機１の遊技状態が、ビッグボーナスゲーム（以下、「ＢＢゲーム」という。）を実行する状態にあるときには、確定表示の態様に応じて以下のような遊技価値が付与される。つまり、（２１）何れかの有効ラインＮ１〜Ｎ５に沿って、「リプレイ図柄」が、３つ揃った状態に確定表示されると、「ＲＢ役」の成立が確定し（以下、「ジャックイン」ということがある。）、３枚の遊技メダルが付与される。
【００８９】
（２２）何れかの有効ラインＮ１〜Ｎ５に沿って、「ベル図柄」が、３つ揃った状態に確定表示されると、ベルの小役の成立が確定し、８枚の遊技メダルが付与される。また、（２３）何れかの有効ラインＮ１〜Ｎ５に沿って、「スイカ図柄」が、３つ揃った状態に確定表示されると、スイカの小役の成立が確定し、７枚の遊技メダルが付与される。更に、（２４）有効ラインＮ１〜Ｎ５上の何れかの位置に、「チェリー図柄」が、確定表示されると、チェリーの小役の成立が確定し、２枚の遊技メダルが付与される。尚、以下の説明においてビッグボーナスを「ＢＢ」と表記する。
【００９０】
（３）主制御基板収納用ユニット８０の構成
次に主制御基板収納用ユニット８０について詳細に説明する。この主制御基板収納用ユニット８０は、図８に示すように、ケース部材８１と、カバー部材９２と、封止ピン９６と、防犯キャップ９８とを備えている。また、この主制御基板収納用ユニット８０は、図９及び図１０に示すように、ケース部材８１（ケース本体８２）にカバー部材９２を装着して、図１１及び図１２に示すように、封止された容器（収納体８８）を構成するものである。
【００９１】
尚、以下の説明において、「左」、「右」、「前」、「後」等の方向を、主制御基板収納用ユニット８０が遊技機１（外郭本体部３Ａ）に取り付けられた状態を基準に定めている。つまり、「前」及び「表」は、主制御基板収納用ユニット８０が遊技機１（外郭本体部３Ａ）に取り付けた状態にて、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。
【００９２】
ケース部材８１は、図８に示すように、ケース本体８２と、取付部材８７とを備えている。このうちで、ケース本体８２は透明な合成樹脂を用いた一体成形品であり、前面部と左側面部とを開放部８２１、８２２とする略容器形状に構成されている。つまり、ケース本体８２は、略矩形の正面形状を備えつつ後面部に配設される後壁部８２ａと、後壁部８２ａの上縁部から前方に向かって略垂直に突出する上壁部８２ｂと、後壁部８２ａの右側縁部から前方に向かって略垂直に突出する右壁部８２ｃと、後壁部８２ａの下縁部から前方に向かって略垂直に突出する下壁部８２ｄとを備えている。
【００９３】
上壁部８２ｂと、右壁部８２ｃと、下壁部８２ｄの突出量（後壁部８２ａの前方への突出量）は等しくされている。そして、ケース本体８２は、上壁部８２ｂと、右壁部８２ｃと、下壁部８２ｄによって、左側面部を開放部８２２とする略コの字型の周壁部を構成している。
【００９４】
図１３及び図１４に示すように、後壁部８２ａの左側縁部には、前方に向かって略垂直に突出する左リブ８２ｖが形成されている。また、後壁部８２ａの前面部において上壁部８２ｂに近接する部位（約２ｍｍの距離の部位）にも、前方に向かって略垂直に突出する上リブ８２ｅが設けられ、後壁部８２ａの前面部において下壁部８２ｄに近接する部位（約２ｍｍの距離の部位）にも、前方に向かって略垂直に突出する下リブ８２ｆが設けられている。
【００９５】
左リブ８２ｖと、上リブ８２ｅと、下リブ８２ｆは、その突出量（後壁部８２ａの前方への突出量）を等しくしつつ、右側方に開口する略コの字形状を形成している。また、後壁部８２ａの前面部において、左リブ８２ｖ、上リブ８２ｅ及び下リブ８２ｆの内側に位置する部位からには、補強用の中リブ８２ｇが前方に向かって略垂直に突出している。尚、中リブ８２ｇは後壁部８２ａの上下方向中間部において、左リブ８２ｖと右壁部８２ｃとの間を水平方向に接続する横リブ部８２１ｇと、後壁部８２ａの左右に設けられつつ上壁部８２ｂ及び下壁部８２ｄを接続する縦リブ部８２２ｇとを備えている。また、左右の縦リブ部８２２ｇは各中間部において横リブ部８２１ｇと交差して一体化されている。
【００９６】
後壁部８２ａの前面部に形成される全てのリブ（左リブ８２ｖ、上リブ８２ｅ、下リブ８２ｆ、中リブ８２ｇ）の突出量（後壁部８２ａの前方への突出量）は、周壁部（８２ａ、８２ｂ及び８２ｃ）の突出量（後壁部８２ａの前方への突出量）よりも少なく（約１／５）とされている。
【００９７】
図１３及び図１４に示すように、後壁部８２ａにおいて上リブ８２ｅの左端部と右端部との各下方に位置する部位には、取付部８２ｈ、８２ｈが形成されている。また、後壁部８２ａにおいて下リブ８２ｆの左端部と右端部との各上方に位置する部位にも、取付部８２ｉ、８２ｉが形成されている。これらの取付部８２ｈ、８２ｈ、８２ｉ、８２ｉは、後壁部８２ａの前方に突出する状態に形成されると共に、その突出量（後壁部８２ａの前方への突出量）を、上リブ８２ｅ及び下リブ８２ｆの突出量（後壁部８２ａの前方への突出量）と等しくしている。尚、図８においては、上リブ８２ｅ、下リブ８２ｆ、中リブ８２ｇ、取付部８２ｈ、８２ｈ、８２ｉ、８２ｉの図示を省略している。
【００９８】
尚、これらの取付部８２ｈ、８２ｈ、８２ｉ、８２ｉは、平面状に形成される突端面において取付穴８２ｊを開口させている。また、主制御基板１００Ａはその裏面部の四隅を対応する取付部８２ｈ、８２ｈ、８２ｉ、８２ｉに当接させつつ、ケース本体８２に収納されることになる。その際、主制御基板１００Ａの四隅において、主制御基板１００Ａ（主制御基板１００Ａを構成する基材）を貫通する状態に形成された貫通孔（図示を省略）が、対応する取付部８２ｈ、８２ｈ、８２ｉ、８２ｉの取付穴８２ｊに位置合わせされる。そして、主制御基板１００Ａの表面側から、各貫通孔１０１Ａ及び各取付穴８２ｊにビス（図示を省略）の雄ネジ部を挿入、螺合することで、主制御基板１００Ａはケース本体８２に固定された状態となる。
【００９９】
図１３、図１５（ａ）及び（ｂ）に示すように、後壁部８２ａの前面部において上壁部８２ｂと上リブ８２ｅとの間に位置する部位には後壁部８２ａの横方向に長尺な空間部（以下、「上部スライド溝」という。）８２ｍを設けている。また、上部スライド溝８２ｍの開口側においてケース本体８２の横方向に沿った４カ所には、雄型の被係合部８２ｐが形成されている。これらの被係合部８２ｐは、略矩形板状の小片とされつつ、上部スライド溝８２ｍを縦方向に縦断する状態（上リブ８２ｅの突端部と上壁部８２ｂとの間に掛け渡された状態）に形成されている。
【０１００】
図１３、図１５（ｃ）及び（ｄ）に示すように、後壁部８２ａの前面部において下壁部８２ｄと下リブ８２ｆとの間に位置する部位にも、後壁部８２ａの横方向に長尺な空間部（以下、「下部スライド溝」という。）８２ｎを設けている。また、下部スライド溝８２ｎの開口側においてケース本体８２の横方向に沿った４カ所にも、雄型の被係合部８２ｐが形成されている。これらの被係合部８２ｐも、略矩形板状の小片とされつつ、下部スライド溝８２ｎを縦方向に縦断する状態（下リブ８２ｆの突端部と下壁部８２ｄとの間に掛け渡された状態）に形成されている。
【０１０１】
図１３及び図１４に示すように、左リブ８２ｖの突端部からは、位置決め用突起８２ｑが左方向突出している。この位置決め用突起８２ｑは略矩形板状とされつつ、左リブ８２ｖの突端部のうちで、左リブ８２ｖの上端側及び下端側を除く部位から、左方向突出している。
【０１０２】
図１４に示すように、右壁部８２ｃの突端部（前端縁）からは、ケース側封止部８５が突出している。このケース側封止部８５は、図１６に示すように、右壁部８２ｃの突端部の全域において右方向に突出する状態とされている。このケース側封止部８５は、上下に長尺の略板形状に形成される封止本体８５ａと、封止本体８５ａの後面部の上端側から後方に突出する上方筒状部８５ｂと、封止本体８５ａの後面部の下端側から後方に突出する下方筒状部８５ｃと、封止本体８５ａの前面部の周縁部のうちで封止本体８５ａの左端縁を除く部位から前方に突出する（換言すると、封止本体８５ａの右側縁及び上下の端縁から前方に突出する）封止壁８５ｄと、を備えている。尚、封止壁８５ｄには、上下方向に間隔をあけた状態で、２個の位置決め孔８５１ｄを有している｛図２０（ａ）を参照｝。
【０１０３】
ここで、図１７に示すように、説明の便宜上、封止本体８５ａをその上端側から下方側に向かって６つの領域部（仮想的な領域部）Ｄ１〜Ｄ６に分けて説明する。但し、これらの領域部Ｄ１〜Ｄ６は、その面積（前方から見た面積）は略等しくなるように設定されている。
【０１０４】
図１７及び図１８に示すように、最上部に位置する領域部Ｄ１は、上方筒状部８５ｂと前後に位置合わせる部位に設定されていると共に、この領域部Ｄ１と上方筒状部８５ｂとは一体化されている。また、この領域部Ｄ１は第１のピン差込孔Ｓ１を前方に向かって開口させている。このピン差込孔Ｓ１は略円形の孔形状とされつつ、領域部Ｄ１を前後に（肉厚方向に）貫通する状態に形成されている。また、領域部Ｄ１の後面部において第１のピン差込孔Ｓ１の周縁に位置する部位からは筒状部８５ｅが突出している。この筒状部８５ｅの前端部は第１のピン差込孔Ｓ１と連通し、筒状部８５ｅの後端部は上方筒状部８５ｂ内に開放されている。尚、筒状部８５ｅの基端部（領域部Ｄ１の後面部に位置する部位）の上下２カ所には、筒状部８５ｅを肉厚方向に貫通する貫通孔８５１ｅが形成されている。
【０１０５】
図１７に示すように、最下部に位置する領域部Ｄ６は、下方筒状部８５ｃと前後に位置合わせる部位に設定されていると共に、この領域部Ｄ６と下方筒状部８５ｃとは一体化されている。また、この領域部Ｄ６は第６のピン差込孔Ｓ６を前方に向かって開口させている。このピン差込孔Ｓ６は略円形の孔形状とされつつ、領域部Ｄ６を前後に（肉厚方向に）貫通する状態に形成されている。また、第６のピン差込孔Ｓ６の後端部は下方筒状部８５ｃ内に開放されている。
【０１０６】
図１７に示すように、中間に位置する４個の領域部Ｄ２〜Ｄ５には、連通口Ｒ２、Ｒ３、Ｒ４、Ｒ５が各々形成されている。これらの連通口Ｒ２〜Ｒ５は何れも略矩形状の開口形状を備えつつ、封止本体８５ａを前後に貫通する状態とされている。また、連通口Ｒ２〜Ｒ５の開口面積は、第１のピン差込孔Ｓ１及び第６のピン差込孔Ｓ６の開口面積よりも遙かに大きく（例えば、１０倍以上）されている。
【０１０７】
図１７に示すように、封止本体８５ａにおいて４個の領域部Ｄ２〜Ｄ５の後方に位置する部位には、装着用空間部８５ｆが設けられている。つまり、封止本体８５ａの後方において、上方筒状部８５ｂと下方筒状部８５ｃとで挟まれた部位は、略四角柱状の装着用空間部８５ｆが設けられている。この装着用空間部８５ｆは、後述する取付部材８７が装着されることになる。
【０１０８】
図９及び図１３に示すように、下方筒状部８５ｃの左端部の後端縁からは、取付用突起８５ｇが突出している。この取付用突起８５ｇは略矩形の正面形状を有すると共に、取付孔８５ｈを前後に（肉厚方向に）貫通する状態に備えている。また、この取付孔８５ｈの開口形状は左右に長尺な略長孔状とされている。
【０１０９】
図１６及び図１７に示すように、取付部材８７は、装着用空間部８５ｆに嵌合可能な略四角柱状の外形を備えつつ後方に開口する容器形状とされる部材本体８７ａと、部材本体８７ａの開口部に装着される蓋型部材８７ｂとを備えている。
【０１１０】
この部材本体８７ａの前面部には、４個の突部（隆起部）Ｔ２、Ｔ３、Ｔ４、Ｔ５が上方から下方に向かって略等間隔に形成されている。つまり、部材本体８７ａは、開口部（蓋型部材８７ｂが装着される開口部）を後方に配置して用いられるが、その前面壁８７１ａの４箇所を前方に隆起させ、突部（隆起部）Ｔ２、Ｔ３、Ｔ４、Ｔ５としている。これらの突部（隆起部）Ｔ２〜Ｔ５は、取付部材８７を装着用空間部８５ｆに装着するときに、上下に並ぶ４個の連通口Ｒ２〜Ｒ５のうちで、前後に位置合わせされるものに挿入（遊入でも、嵌合でもよい。）されるものである。つまり、各突部Ｔ２〜Ｔ５の正面形状は、連通口Ｒ２〜Ｒ５の開口形状と等しくされている。そして、取付部材８７を装着用空間部８５ｆに装着するときに、各突部Ｔ２〜Ｔ５が、上下方向に同じ高さ位置にある連通口Ｒ２〜Ｒ５に嵌合される。
【０１１１】
蓋型部材８７ｂは、図１７に示すように、部材本体８７ａの縦長の略矩形状とされた開口部に嵌合されるものである。そして、蓋型部材８７ｂの縦長略矩形板状の前面部であって、しかも各突部Ｔ２〜Ｔ５と前後に位置合わせされる４箇所の各々において、略板状の隔壁部８７ｇ、８７ｈ及び略板状の仕切壁部８７ｍを突出させた構成を備える。つまり、蓋型部材８７ｂは、部材本体８７ａの縦長の略矩形状とされた開口部に嵌合されると、部材本体８７ａの内側において各突部Ｔ２〜Ｔ５の上端縁と前後に位置合わせされる部位には隔壁部８７ｇが挿入され、各突部Ｔ２〜Ｔ５の下端縁と前後に位置合わせされる部位には隔壁部８７ｈが形成されている。
【０１１２】
このため、部材本体８７ａの内側において、各突部Ｔ２〜Ｔ５と前後に位置合わせされる部位には、隔壁部８７ｇ、８７ｈで上下を挟まれたピン差込室８７ｋが形成される。これらのピン差込室８７ｋは、略四角柱状に空間形状を備えるが、両隔壁部８７ｇ、８７ｈの前後方向中間部には、仕切壁部８７ｍが一体化されているため、このピン差込室８７ｋは仕切壁部８７ｍによって前後に区画されている。
【０１１３】
部材本体８７ａにおいては、図１６及び図１８に示すように、各突部Ｔ２〜Ｔ５の略中心位置にはピン差込孔Ｓ２、Ｓ３、Ｓ４、Ｓ５が形成されている。つまり、最上部の突部Ｔ２には第２のピン差込孔Ｓ２が突部Ｔ２を前後に貫通しつつ、突部Ｔ２の前方と最上部のピン差込室８７ｋとを連通させる状態に形成されている。また、上方から第２番目面の突部Ｔ３には第３のピン差込孔Ｓ３が突部Ｔ３を前後に貫通しつつ、突部Ｔ３の前方と上方から第２番目のピン差込室８７ｋとを連通させる状態に形成されている。更に、上方から第３番目の突部Ｔ４には第４のピン差込孔Ｓ４が突部Ｔ４を前後に貫通しつつ、突部Ｔ４の前方と上方から第３番目のピン差込室８７ｋとを連通させる状態に形成されている。そして、最下部の突部Ｔ５には第５のピン差込孔Ｓ５が突部Ｔ５を前後に貫通しつつ、突部Ｔ５の前方と最下部のピン差込室８７ｋとを連通させる状態に形成されている。
【０１１４】
また、各ピン差込室８７ｋ内の仕切壁部８７ｍは、各ピン差込室８７ｋを前後に仕切るものである。そして、何れの仕切壁部８７ｍにも前後に貫通しつつ、対応するピン差込孔Ｓ２〜Ｓ５と同心状とされた貫通孔８７ｎが形成されている。
【０１１５】
図１６に示すように、部材本体８７ａの右側面部後端側の上下からは略平板状の位置決め用突起８７ｐ、８７ｐが右側方突出している。また、図１９に示すように、部材本体８７ａの後端面からは、略Ｌ字状の位置決め用突起８７ｒが突出している。この位置決め用突起８７ｒは基端部側を後方に突出する板形状としつつ、突端部を左側方に向けている。
【０１１６】
前述のように、取付部材８７を装着用空間部８５ｆに装着する際に、各突部Ｔ２〜Ｔ５が前後に対応する連通口Ｒ２〜Ｒ５に挿入される（突部Ｔ２が連通口Ｒ２、突部Ｔ３が連通口Ｒ３、突部Ｔ４が連通口Ｒ４、突部Ｔ５が連通口Ｒ５に各々挿入される。）。これにより、領域部Ｄ１の前面部と、領域部Ｄ６の前面部と、各突部Ｔ２〜Ｔ５の前端面とが、同一平面状に並んだ状態となる。そして、封止本体８５ａの最上部の領域部Ｄ１と、４個の突部Ｔ２〜Ｔ５と、最下部の領域部Ｄ６とがそれぞれ、「ケース側固定部」の具体例を構成する。
【０１１７】
つまり、図１９に示すように、本実施例を構成するケース部材８１には、合計６個の「ケース側固定部」が形成されている。また、ケース部材８１に形成される６個のピン差込孔Ｓ１〜Ｓ６は、各々、ケース側固定部のピン差込部の具体例を構成する。また、図２０に示すように、各領域部Ｄ１〜Ｄ６の前面部において、ピン差込孔Ｓ１〜６の上下に位置する部位には、逃がし用凹部ＳＶが形成されている。この逃がし用凹部ＳＶはピン差込孔Ｓ１〜６の周縁部と連通しつつ、後方に凹んだ状態に形成され、略矩形の正面形状を備えている。尚、取付部材８７を装着用空間部８５ｆに装着した状態でケース本体８２に後述するカバー部材９２を装着すると、「封止本体８５ａ（連通口Ｒ２〜Ｒ５を除く部分）」が、「取付部材８７の前面部のうちで、各突部Ｔ２〜突部Ｔ５の周囲に位置する部位」と、「カバー部材９２の封止本体９５ａ」とで挟持された状態となる。
【０１１８】
カバー部材９２は、透明な合成樹脂を用いた一体成形品であり、後面部を開放部９２１とする略容器形状に構成され（図１０を参照）、ケース本体８２に装着されて、ケース本体８２とともに内部に主制御基板１００Ａを収納する収納体８８を構成する（図１１及び図１２を参照）。
【０１１９】
図２１及び図２２に示すように、カバー部材９２は略矩形の正面形状を備えつつ前面部に配設される本体壁９２ａと、本体壁９２ａの上縁部から後方に向かって略垂直に突出する上部挿入壁９２ｂと、本体壁９２ａの右側縁部から後方に向かって略垂直に突出する右挿入壁９２ｃと、本体壁９２ａの下縁部から後方に向かって略垂直に突出する下部挿入壁９２ｄと、本体壁９２ａの左側縁部から後方に向かって略垂直に突出する左露出壁９２ｅとを備えている。尚、図１１及び図１２に示すように、カバー部材９２を構成する各部分のうちで、本体壁９２ａ及び左露出壁９２ｅが外部に露呈し、上部挿入壁９２ｂと、右挿入壁９２ｃと、下部挿入壁９２ｄとが、ケース本体８２の内側に挿入されて外部に露呈しない状態とされる。
【０１２０】
本体壁９２ａは、図２１に示すように、右端部側に位置する右平板部９２ｆと、左端部側に位置する左平板部９２ｔと、その他の部位を構成する膨出部９２ｇとを備えている。このうち、右平板部９２ｆは縦長矩形状の正面形状を備えると共に、２個のコネクタの挿通孔９２ｉを上下に備えている。また、左平板部９２ｔは略コの字状の正面形状を備えると共に、４個のコネクタの挿通孔９２ｊを、略コの字状に配設している。尚、これらの挿通孔９２ｉ、９２ｊは何れも、本体壁９２ａを前後に貫通する状態に形成されている。
【０１２１】
膨出部９２ｇは、右平板部９２ｆ及び左平板部９２ｔよりも前方に膨らみ出る壁部によって構成されている（図８を参照）。このため、カバー部材９２をケース本体８２に装着して構成される収納体８８においては、膨出部９２ｇの後方に形成される空間部の前後幅が、右平板部９２ｆ及び左平板部９２ｔの各後方に形成される空間部の前後幅よりも大きくされている。つまり、右平板部９２ｆ及び左平板部９２ｔの各後方にはケース本体８２の前後幅に相当する前後幅の空間部が形成され、膨出部９２ｇの後方には、ケース本体８２の前後幅の２倍の前後幅を備える空間部が形成される。
【０１２２】
上部挿入壁９２ｂと、右挿入壁９２ｃと、下部挿入壁９２ｄと突出量（本体壁９２ａの後方への突出量）は等しくされ、左露出壁９２ｅの突出量（本体壁９２ａの後方への突出量）は、右挿入壁９２ｃ等の突出量よりも僅かに多くされている。そして、カバー部材９２は、上部挿入壁９２ｂと、右挿入壁９２ｃと、下部挿入壁９２ｄと、左露出壁９２ｅとによって略四角枠状の周壁部を構成している（図２２参照）。尚、左露出壁９２ｅには、前述の位置決め用突起８２ｑを嵌入可能な孔９２１ｅが形成されている。この孔９２１ｅは左露出壁９２ｅを左右に貫通しつつ縦長とされている（図９及び図１０参照）。
【０１２３】
図１０に示すように、上部挿入壁９２ｂの上面部の全域が、「本体壁９２ａとの境界部分」よりも、下部挿入壁９２ｄの方向に向かって段差状に後退した状態となっている。この「上部挿入壁９２ｂと本体壁９２ａとの境界部分」には、後方を指向しつつ左右方向に直線状の経路を描く「合わせ面９２ｍ」が形成されている（図２２を参照）。同様に、下部挿入壁９２ｄの上面部の全域が、「本体壁９２ａとの境界部分」よりも、上部挿入壁９２ｂの方向に向かって段差状に後退した状態となっている。この「下部挿入壁９２ｄと本体壁９２ａとの境界部分」には、後方を指向しつつ左右方向に直線状の経路を描く「合わせ面９２ｎ」が形成されている（図２２を参照）。そして、カバー部材９２をケース本体８２に装着したときに、上部挿入壁９２ｂが上壁部８２ｂの下方に挿入されつつ、「合わせ面９２ｍ」が、上壁部８２ｂの突端面８２１ｍに重ね合わされ、下部挿入壁９２ｄが下壁部８２ｄの上方に挿入されつつ、「合わせ面９２ｎ」が、下壁部８２ｄの突端面８２１ｎに重ね合わされる。
【０１２４】
図２２に示すように、上部挿入壁９２ｂ及び下部挿入壁９２ｄは左右に長尺な略矩形板によって構成されている。また、上部挿入壁９２ｂと下部挿入壁９２ｄとは略平行とされつつ、「上部スライド溝８２ｍ及び下部スライド溝８２ｎ間の距離」に相当する距離を隔てた状態で上下に配設されている（図１０を参照）。また、図９及び図２２に示すように、上部挿入壁９２ｂ及び下部挿入壁９２ｄには、係合部９２ｐが各々４個ずつ設けられている。つまり、上部挿入壁９２ｂにおいて、上部スライド溝８２ｍの各被係合部８２ｐと前後に位置合わせされる箇所には、各々係合部９２ｐが形成されている（図９を参照）。同様に、下部挿入壁９２ｄにおいて、下部スライド溝８２ｎの各被係合部８２ｐと前後に位置合わせされる箇所にも、各々係合部９２ｐが形成されている。
【０１２５】
上部挿入壁９２ｂ及び下部挿入壁９２ｄに設けられた合計８個の係合部９２ｐは雌型に構成されれいる。そして、ケース本体８２に設けられた合計８個の被係合部８２ｐのうちで、前後に位置合わせされるものを、はめ込んで摺動可能とされている。
【０１２６】
上部挿入壁９２ｂの各係合部９２ｐは、図９及び図２２に示すように、上部挿入壁９２ｂの上下面を貫通しつつ左右に長い略矩形状の孔を用いて構成されている。また、係合部９２ｐの右半部は、上部挿入壁９２ｂの上下面及び後端面で開口する切り欠き部９２ｒと連続することによって、上部挿入壁９２ｂの後端面で開放されている。
【０１２７】
また、下部挿入壁９２ｄの各係合部９２ｐも、図２２に示すように、下部挿入壁９２ｄの上下面を貫通しつつ左右に長い略矩形状の孔を用いて構成されている。また、この係合部９２ｐの右半部も、下部挿入壁９２ｄの上下面及び後端面で開口する切り欠き部９２ｒと連続することによって、下部挿入壁９２ｄの後端面で開放されている。尚、上部挿入壁９２ｂの各係合部９２ｐの左半部に対して、上部スライド溝８２ｍの対応する被係合部８２ｐが進入し、下部挿入壁９２ｄの各係合部９２ｐの左半部に対して、下部スライド溝８２ｎの対応する被係合部８２ｐが進入することで、計８個の係合部９２ｐが各々対応する被係合部８２ｐに対して抜け止め方向（前後）に係合することになる。つまり、ケース本体８２に装着されたカバー部材９２を、前方に向かって取り外すことができなくなる。
【０１２８】
図２１〜図２３に示すように、本体壁９２ａの右端縁（右挿入壁９２ｃの前端縁）からは、カバー側封止部９５が突出している。このカバー側封止部９５は、本体壁９２ａの右端縁の全域において右方向に突出する状態とされている。このカバー側封止部９５は、上下に長尺の略板形状に形成される封止本体９５ａと、封止本体９５ａの前面部から前方に突出する６個の筒状壁９５ｂと、封止本体９５ａの右端部の上下から右方向に突出する位置決め突起９５ｗとを備えている。尚、カバー部材９２をケース本体８２に装着する際に、各位置決め突起９５ｗは、封止壁８５ｄの対応する位置決め孔８５１ｄ｛図２０（ａ）を参照｝に挿入されることで、カバー部材９２のケース本体８２に対する上下方向への位置決めを行うことができる。
【０１２９】
封止本体９５ａは、ケース側封止部８５の封止本体８５ａと重ね合わせた状態に配設されるもの（接触する状態に対向配置若しくは僅かな隙間を挟み対向配置されるもの）であり（図２７を参照）、封止本体８５ａと同一の正面形状を備える板状部によって構成されている。この封止本体９５ａをケース側封止部８５の封止本体８５ａと重ね合わせると、封止壁８５ｄの内側に配置することができる（図４２を参照）。
【０１３０】
封止本体９５ａにおいて、ケース側封止部８５の封止本体８５ａと重ね合わせた状態とされたときに、各ピン差込孔Ｓ１〜Ｓ６と上下に位置合わせされる部位には、図２３に示すように、ピン差込孔Ｐ１、Ｐ２、Ｐ３、Ｐ４、Ｐ５、Ｐ６が封止本体９５ａを前後に貫通する状態に形成されている。
【０１３１】
ここで、便宜上、封止本体９５ａをその上端側から下方側に向かって６つの領域部（仮想的な領域部）Ｂ１〜Ｂ６に分けて説明する。但し、これらの領域部Ｂ１〜Ｂ６は、その面積（前方から見た面積）は略等しくなるように設定されている。そして、図２７に示すように、封止本体９５ａをケース側封止部８５の封止本体８５ａに重ね合わせた状態としたときに、最上部に位置する領域部Ｂ１は前述の領域部Ｄ１と前後に位置合わせされる。同様に、上方から２番目の領域部Ｂ２は領域部Ｄ２と前後に位置合わせされ、上方から３番目の領域部Ｂ３は領域部Ｄ３と前後に位置合わせされる。また、上方から４番目の領域部Ｂ４は領域部Ｄ４と前後に位置合わせされ、上方から５番目の領域部Ｂ５は領域部Ｄ５と前後に位置合わせされると共に、最下部に位置する領域部Ｂ６は最下部に位置する領域部Ｄ６と前後に位置合わせされる。
【０１３２】
この封止本体９５ａを構成する６個の領域部Ｂ１〜Ｂ６は、各々、「カバー側固定部」の具体例を構成する。つまり、本実施例を構成するカバー部材９２には、合計６個の「カバー側固定部」が形成されている。そして、各「カバー側固定部」は、各々の後方に配設される「ケース側固定部」と前後に対向する状態とされている。
【０１３３】
図２３及び図２７に示すように、上方から下方に並ぶ各領域部Ｂ１〜Ｂ６には、後方に対向配置される各領域部Ｄ１〜Ｄ６のピン差込孔Ｓ１〜Ｓ６と同心状とされつつ前後に連通可能なピン差込孔Ｐ１〜Ｐ６が形成されている。尚、封止本体９５ａに形成されるピン差込孔Ｐ１〜Ｐ６においても、最上部に位置するものを、第１のピン差込孔Ｐ１と称し、上方から第２番目に位置するものを、第２のピン差込孔Ｐ２と称し、上方から第３番目に位置するものを、第３のピン差込孔Ｐ３と称する。また、上方から第４番目に位置するものを、第４のピン差込孔Ｐ４と称し、上方から第５番目に位置するものを、第５のピン差込孔Ｐ５と称し、最下部に位置するものを、第６のピン差込孔Ｐ６と称する。尚、ピン差込孔Ｐ１〜Ｐ６は、カバー側固定部のピン差込部の具体例を構成する。
【０１３４】
図２４（ａ）及び（ｂ）に示すように、各領域部Ｂ１〜Ｂ６において、ピン差込孔Ｐ１〜Ｐ６の入口部寄りの部分（ケース本体８２の封止本体８５ａと離間する側の開口部の寄りの部分）の内壁部を構成する部位（以下、「差し込み案内部」という。）９５ｖは、ピン差込孔Ｐ１〜Ｐ６の入口部に向かって徐々に拡径するテーパ形状とされている。換言すると、ピン差込孔Ｐ１〜Ｐ６は、その入口部寄りの部分において、その内径を入口部に向かって徐々に拡径するテーパ形状とされている。
【０１３５】
図２３及び図２４に示すように、領域部Ｂ１〜Ｂ６はその前面部に、各々筒状壁９５ｂを備えている。これらの筒状壁９５ｂは略円筒形状とされつつ、その軸心を対応するピン差込孔Ｐ１〜Ｐ６と同心状としている。つまり、領域部Ｂ１〜Ｂ６の前面部からは、ピン差込孔Ｐ１〜Ｐ６を周回状に包囲する筒状壁９５ｂが形成されている。
【０１３６】
６個の筒状壁９５ｂは、各領域部Ｂ１〜Ｂ６より「ケース側固定部」の方向とは反対方向（逆方向、すなわち、反ケース側固定部方向）に突出するが（図２７を参照）、各筒状壁９５ｂの内径はその内側に同心状に配置されるピン差込孔Ｐ１〜Ｐ６の内径よりも大きくされている（例えば、３倍）。そして、各筒状壁９５ｂの内壁部９５ｃには、合計４個の被係合溝Ｋ１、Ｋ１、Ｋ２、Ｋ２が設けられている。
【０１３７】
この４個の被係合溝Ｋ１、Ｋ１、Ｋ２、Ｋ２のうちの２個ずつが、筒状壁９５ｂの径方向に対向しつつ対をなす状態に設けられている。つまり、２個被係合溝Ｋ１、Ｋ１が、「筒状壁９５ｂにおいてその軸心を鉛直方向に通過する直径（以下、「第１の直径」という。）」に沿って対向する状態に形成され、残りの２個被係合溝Ｋ２、Ｋ２が、「筒状壁９５ｂにおいてその軸心を左右方向に通過する直径（以下、「第２の直径」という。）」に沿って対向する状態に形成されている。
【０１３８】
これらの被係合溝Ｋ１、Ｋ１、Ｋ２、Ｋ２は、筒状壁９５ｂの内壁部９５ｃの一部をその半径方向外側に凹ませて構成される溝部である。また、これらの被係合溝Ｋ１、Ｋ１、Ｋ２、Ｋ２は略矩形の開口形状を有しており、筒状壁９５ｂの軸心方向に沿った中間部から、筒状壁９５ｂの奥側（各領域部Ｂ１〜Ｂ６の位置）に向かう略直線状の経路を描いている。そして、被係合溝Ｋ１、Ｋ１、Ｋ２、Ｋ２において、筒状壁９５ｂの中間部（軸心方向に沿った中間部）に位置する部位には、領域部Ｂ１〜Ｂ６を指向する被係合面Ｋ１１、Ｋ１１、Ｋ２１、Ｋ２１が設けられている。これらの被係合面Ｋ１１、Ｋ１１、Ｋ２１、Ｋ２１の面法線は筒状壁９５ｂの軸心と略平行となっている。
【０１３９】
また、これらの被係合面Ｋ１１、Ｋ１１、Ｋ２１、Ｋ２１のうちで、前述の「第１の直径」上に配設されるもの（対向する２個のＫ１１）と、前述の「第２の直径」上に配設されるもの（対向する２個のＫ２１）とは、筒状壁９５ｂの軸心方向に沿って「ずれた位置」、つまり、「異なる軸心方向位置」に設けられている。すなわち、前者の被係合面Ｋ１１、Ｋ１１は、後者の被係合面Ｋ２１、Ｋ２１よりも筒状壁９５ｂの奥側（後方）に設けられている。
【０１４０】
更に、各領域部Ｂ１〜Ｂ６のうちで筒状壁９５ｂ内に位置する部位において、「ピン差込孔Ｐ１〜Ｐ６」と、各被係合溝Ｋ２、Ｋ２との間に位置する部位には、各々逃がし孔９５ｘ、９５ｘが設けられている。この逃がし孔９５ｘ、９５ｘは、各領域部Ｂ１〜Ｂ６を貫通する状態に設けられている。また、これらの逃がし孔９５ｘ、９５ｘは主制御基板収納用ユニット８０の開封の際に機能するものであるが、その詳細については後述する。尚、本実施例では、被係合溝Ｋ１、Ｋ１の反「被係合面Ｋ１１、Ｋ１１」の端部が、領域部Ｂ１〜Ｂ６のうちで筒状壁９５ｂ内に位置する部位まで到達する状態に形成されている。また、本実施例と異なり、逃がし孔９５ｘ、９５ｘを、ピン差込孔Ｐ１〜Ｐ６と被係合溝Ｋ１、Ｋ１とを連続させるものとして形成することもできる。
【０１４１】
カバー部材９２が、ケース本体８２に対して以下の状態（以下、「閉鎖取付状態」という。）に取り付けられると、ケース本体８２の開放部８２１、８２２がカバー部材９２で閉鎖されて、カバー部材９２はケース本体８２とともに内部に主制御基板１００Ａを収納する収納体８８を構成する（図１２を参照）。このとき、（ａ）カバー側封止部９５の封止本体９５ａが、ケース側封止部８５の封止本体８５ａと重ね合わせた状態に配設され、（ｂ）上部挿入壁９２ｂ、右挿入壁９２ｃ及び下部挿入壁９２ｄがケース本体８２の内側に挿入され、（ｃ）上部挿入壁９２ｂの各係合部９２ｐが、上部スライド溝８２ｍの対応する被係合部８２ｐに係合し、上部挿入壁９２ｂの上部スライド溝８２ｍからの抜け止めが図られ、（ｄ）下部挿入壁９２ｄの各係合部９２ｐが、下部スライド溝８２ｎの対応する被係合部８２ｐに係合し、下部挿入壁９２ｄの下部スライド溝８２ｎからの抜け止めが図られ、（ｄ）位置決め用突起８２ｑが孔９２１ｅに挿入された状態となる。
【０１４２】
但し、カバー部材９２を、ケース本体８２に装着する作業においては、カバー部材９２をケース本体８２に対して、いきなり「閉鎖取付状態」で取り付けることはできないため、以下の手順に従う。つまり、図２５に示すように、カバー部材９２をケース本体８２に対して、左方向にずらした状態（閉鎖取付状態を基準として左方向にずらした状態）で取り付ける（図２５中の矢印Ｍを参照）。具体的には、（Ａ）上部挿入壁９２ｂ、右挿入壁９２ｃ及び下部挿入壁９２ｄがケース本体８２の内側に挿入し、（Ｂ）上部挿入壁９２ｂの各係合部９２ｐの右半部に切り欠き部９２ｒを通じて、上部スライド溝８２ｍの対応する被係合部８２ｐを進入させ、（Ｃ）下部挿入壁９２ｄの各係合部９２ｐの右半部に切り欠き部９２ｒを通じて、下部スライド溝８２ｎの対応する被係合部８２ｐを進入させる。この状態（以下、「初期取付状態」という。）のとき、位置決め用突起８２ｑは孔９２１ｅに、未だ進入しないものとされる。
【０１４３】
カバー部材９２を「初期取付状態」にした後、カバー部材９２を右方向にスライドすると、カバー部材９２は「閉鎖取付状態」となる（図２５中の矢印Ｎを参照）。つまり、（Ｄ）上部挿入壁９２ｂの各係合部９２ｐの左半部に、上部スライド溝８２ｍの対応する被係合部８２ｐを進入し、下部挿入壁９２ｄの各係合部９２ｐの左半部に下部スライド溝８２ｎの対応する被係合部８２ｐを進入し、カバー部材９２の各係合部９２ｐが対応する被係合部８２ｐに抜け止め状態（前後への抜け止め状態）に係合すると共に、（Ｅ）位置決め用突起８２ｑが孔９２１ｅに挿入されて、その突端側をケース本体８２の左側方に突出させる。
【０１４４】
このように、カバー部材９２がケース本体８２に対して「閉鎖取付状態」で取り付けられると（装着されると）、カバー側封止部９５の封止本体９５ａと、ケース側封止部８５の封止本体８５ａとが重ね合わせされた状態（接触する状態に対向配置される状態）となる（図２７を参照）と共に、カバー部材９２の左露出壁９２ｅが、ケース本体８２の左側方の開放部８２２を閉鎖する（図１０を参照）。このとき、上部挿入壁９２ｂの各係合部９２ｐの左半部に対して、上部スライド溝８２ｍの対応する被係合部８２ｐが進入し、下部挿入壁９２ｄの各係合部９２ｐの左半部に対して、下部スライド溝８２ｎの対応する被係合部８２ｐが進入することで、計８個の係合部９２ｐが各々対応する被係合部８２ｐに対して抜け止め方向（前後）に係合することになる。これにより、ケース本体８２に装着されたカバー部材９２を、前方に向かって取り外すことができなくなる。
【０１４５】
しかも、カバー部材９２の第１のピン差込孔Ｐ１と、ケース本体８２の第１のピン差込孔Ｓ１とが同心上に位置合わせされつつ前後に連通し、カバー部材９２の第６のピン差込孔Ｐ６と、ケース本体８２の第６のピン差込孔Ｓ６とが同心上に位置合わせされつつ前後に連通する（図２７を参照）。
【０１４６】
更に、装着用空間部８５ｆに取付部材８７を装着すると、各突部Ｔ２〜Ｔ５が、上下方向に同じ高さ位置にある連通口Ｒ２〜Ｒ５に嵌合される。そして、前後に同心上に位置合わせされる４組のピン差込孔Ｐ２（「第２のピン差込孔Ｐ２及び第２のピン差込孔Ｓ２」、「第３のピン差込孔Ｐ３及び第３のピン差込孔Ｓ３」、「第４のピン差込孔Ｐ４及び第４のピン差込孔Ｓ４」、「第５のピン差込孔Ｐ５及び第５のピン差込孔Ｓ５」）が前後に連通する（図２７を参照）。また、このように、装着用空間部８５ｆに取付部材８７を装着すると、取付部材８７と、カバー部材９２とによってケース本体８２が挟持された状態となる（図３９を参照）。
【０１４７】
以上のように、カバー部材９２がケース本体８２に対して「閉鎖取付状態」で取り付けるとともに、装着用空間部８５ｆに取付部材８７を装着すると前後に同心上に位置合わせされる６組のピン差込孔（Ｐ１〜Ｐ６、Ｓ１〜Ｓ６）が連通する（図２７を参照）。更に、何れかの１組のピン差込孔（例えば、Ｐ１及びＳ１）に、封止ピン９６を軽く差し込みんだ後、当該１組のピン差込孔に対応する筒状壁９５ｂに防犯キャップ９８を装着する。このとき、装着される防犯キャップ９８で封止ピン９６を押し込むと、主制御基板収納用ユニット８０の封止を完了する（図４１を参照）。
【０１４８】
次に、封止ピン９６及び防犯キャップ９８等について詳細に説明する。先ず、封止ピン９６は、合成樹脂を用いて構成される一体成形品であり、図２６〜図２８に示すように、頭部９６ａと、頭部９６ａから略片持梁状に突出する一対の脚部９６ｂ、９６ｃとを備えている。
【０１４９】
頭部９６ａは、図２８に示すように、略円筒状に構成される頭本体９６ｄと、頭本体９６ｄの軸心方向に沿った一端部（差し込み時に前方に位置する端部であって、以下、単に「一端部」という。）に配設される脚支持部９６ｅとを備える。また、頭本体９６ｄは筒状壁９５ｂの内部に収納可能なサイズとされている。また、図２９（ａ）に示すように、頭本体９６ｄの軸心方向に沿った他端部（差し込み時に後方に位置する端部であって、以下、単に「他端部」という。）側には、頭本体９６ｄの径方向に対向する一組の切り欠き部９６ｆ、９６ｆが形成されている。これらの切り欠き部９６ｆ、９６ｆは、頭本体９６ｄを内周面、外周面及び他端部（他端面）で開口する状態に形成されている。
【０１５０】
そして、両切り欠き部９５ｆの奥端部（天井部分）９６１ｆからは、腕部９５ｇが略片持ち梁状に突出（垂下）している。また、これらの腕部９６ｇの突端部には係合部（以下、「第２の係合部」という。）９８ｊが設けられている。この第２の係合部９５ｊは、頭本体９６ｄの外周面よりも外側（頭本体９６ｄの半径方向外側）に突出する状態となっている。つまり、頭本体９６ｄの外周面の一端側であって、しかも、頭本体９６ｄの径方向に沿った両端に位置する部位からは、頭本体９６ｄの半径方向外側に向かって「第２の係合部９６ｊ」が突出している。この第２の係合部９６ｊは、縦断面形状が略三角の「係合爪」を用いて構成されている。
【０１５１】
図２８に示すように、頭本体９６ｄの外周面の中間部（頭本体９６ｄの軸心方向に沿った中間部）にも、一対の係合部（以下、「第１の係合部」という。）９６ｈが設けられている。これらの第１の係合部９６ｈは、頭本体９６ｄの径方向に沿った両端に位置する部位であって、しかも、前述の「第２の係合部９６ｊ」とは頭本体９６ｄの周方向に沿った位置が、「１／４」周回分だけ異なる位置に形成されている。つまり、「第１の係合部９６ｈ」と「第２の係合部９６ｊ」は、頭本体９６ｄの軸心方向に沿った配設位置と、頭本体９６ｄの周方向に沿った配設位置の双方が異なっている。
【０１５２】
図２８に示すように、脚支持部９６ｅは、脚部９６ｂ、９６ｃの固定端を構成する部位であり、支持本体部９６ｋと、一対の連結片９６ｍ、９６ｍとを備える。このうち、支持本体部９６ｋは、頭本体９６ｄの内径よりも小さな外径を備える円柱形（若しくは、円板形）に形成され、頭本体９６ｄの一端側の開口部において軸心位置を頭本体９６ｄの軸心位置に一致させた状態に配設されている。また、連結片９６ｍは、薄肉の小片によって構成され、支持本体部９６ｋの外周部と、頭本体９６ｄの内壁部との間に介在され、支持本体部９６ｋを頭本体９６ｄに一体化するものである。つまり、一対の連結片９６ｍ、９６ｍは頭本体９６ｄの径方向に沿って対向しつつ、支持本体部９６ｋの径方向に沿った両端を頭本体９６ｄの内壁部に固定する働きを有している。
【０１５３】
図２８（ｂ）に示すように、一対の脚部９６ｂ、９６ｃは、支持本体部９６ｋの裏面（頭本体９６ｄの他端側に位置する面）であって、しかも、支持本体部９６ｋの軸心位置から偏心した位置から略片持ち梁状に突出している。つまり、両脚部９６ｂ、９６ｃが突出する位置は、支持本体部９６ｋの軸心回りに１８０度隔てた位置となっている。また、各脚部９６ｂ、９６ｃの突端部には係合部（以下、「第３の係合部」という。）９６ｘが形成されている。これらの「第３の係合部９６ｘ」は、縦断面形状が略三角の「係合爪」を用いて構成されている。そして、何れの「第３の係合部９６ｘ」も、支持本体部９６ｋの半径方向外側に突出する状態に設けられている。つまり、両第３の係合部９６ｘ、９６ｘは相互に離間する方向に突出する状態に設けられている。、
【０１５４】
尚、図２８（ａ）に示すように、支持本体部９６ｋの表面（頭本体９６ｄの一端側の開口部で外部に露呈する面）には、封止ピン９６の識別を行うための標識（文字、図形等で構成可能な標識）９５ｗが設けられている。すなわち、主制御基板収納用ユニット８０の上下に並ぶ６個の筒状壁９５ｂの各々に、封止ピン９６を装着可能であるが、最上部の筒状壁９５ｂに装着される封止ピン９６に「Ａ」、上から第２番目の筒状壁９５ｂに装着される封止ピン９６に「Ｂ」、上から第３番目の筒状壁９５ｂに装着される封止ピン９６に「Ｃ」、上から第４番目の筒状壁９５ｂに装着される封止ピン９６に「Ｄ」、上から第５番目の筒状壁９５ｂに装着される封止ピン９６に「Ｅ」、最下部の筒状壁９５ｂに装着される封止ピン９６に「Ｆ」の文字が各々付されている。
【０１５５】
図２９（ｂ）に示すように、両脚部９６ｂ、９６ｃに変形が与えられていない場合、両「第３の係合部９６ｘ」に対して描かれる外接円ＣＲの直径は、前述のピン差込孔（Ｐ１〜Ｐ６、Ｓ１〜Ｓ６）の直径よりも大きくなる。このため、両脚部９６ｂ、９６ｃをピン差込孔（Ｐ１〜Ｐ６、Ｓ１〜Ｓ６）に差し込むことができない。一方、両脚部９６ｂ、９６ｃを、それらの突端部が支持本体部９６ｋの軸心に近づくように撓ませると（図中の矢印Ｖを参照）、両「第３の係合部９６ｘ」に対して描かれる外接円の直径は、前述のピン差込孔（Ｐ１〜Ｐ６、Ｓ１〜Ｓ６）の直径よりも小さくなる。このため、両脚部９６ｂ、９６ｃをピン差込孔（Ｐ１〜Ｐ６、Ｓ１〜Ｓ６）に差し込むことができる。
【０１５６】
本実施例では、連結片９６ｍ、９６ｍを工具（ニッパー）等で破壊することで、「支持本体部９６ｋ及び脚部９６ｂ、９６ｃからなる部分」を、頭本体９６ｄから分離することができる。つまり、連結片９６ｍ、９６ｍを工具（ニッパー）等で破壊すると、封止ピン９６は「支持本体部９６ｋ及び脚部９６ｂ、９６ｃからなるピン本体部分９６ｐ」と、頭本体９６ｄとに分離することができる（図３６を参照）。
【０１５７】
封止ピン９６には、３種類、合計６個の係合部（第１の係合部９６ｈ、第２の係合部９６ｊ、第３の係合部９６ｘ）を備えているが、何れも、縦断面形状が略三角の「係合爪」を用いて構成されている。より具体的には、何れの係合部９６ｈ、９６ｊ、９６ｘも、封止ピン９６の抜け止めを行うための「返し部」として機能するものであり、封止ピン９６の先端部（脚部９６ｂ、９６ｃの突端部）の方向に向かうに従って封止ピン９６の軸心位置に近づく傾斜面（以下、「案内面」という。）Ｍ１と、封止ピン９６の軸心に略直交する係合面Ｍ２とを備えている｛図２８（ｂ）を参照｝。
【０１５８】
防犯キャップ９８は、図３０及び図３１に示すように、合成樹脂を用いて作成した一体成形品であり、キャップ本体９８ａと、内側押圧部９８ｂと、補助押圧部９８ｃとを備える。また、キャップ本体９８ａは、略円筒状に構成される周壁部９８ｄと、周壁部９８ｄの一端側に配設される天井部９８ｅとを備える。つまり、キャップ本体９８ａは天井部９８ｅを備える略円筒体によって構成されている。但し、天井部９８ｅの軸心位置には開口形状が円形の貫通孔９８ｈが形成されている。
【０１５９】
内側押圧部９８ｂは、周壁部９８ｄよりも内径と軸心長が小さな円筒体を用いて構成され、天井部９８ｅの裏面部（キャップ本体９８ａの内側に位置する面）から突出（垂下）している。また、内側押圧部９８ｂは周壁部９８ｄの内側に同心状に（軸心位置を一致させた状態に）配設されているため、内側押圧部９８ｂの外周面と周壁部９８ｄの内周面との間の隙間部９８ｆの幅（周壁部９８ｄの径方向に沿った幅）は、内側押圧部９８ｂを全周域において一定とされている。尚、本実施例では、この隙間部９８ｆが筒状壁９５ｂの肉厚（径方向に沿った肉厚）と等しくされるか、若しくは、僅かに小さく（例えば、０．１ｍｍ小さく）されている。
【０１６０】
また、補助押圧部９８ｃは内側押圧部９８ｂよりも更に内径が小さく、内側押圧部９８ｂと軸心長がほぼ等しい円筒体を用いて構成されている。また、補助押圧部９８ｃは天井部９８ｅの裏面部であって、貫通孔９８ｈの周縁に位置する部位から突出しているとともに、補助押圧部９８ｃは周壁部９８ｄの内側に同心状に（軸心位置を一致させた状態に）配設されている。
【０１６１】
天井部９８ｅにおいて、周壁部９８ｄの内周面と、内側押圧部９８ｂが突出する部分との間に位置する部位には、天井部９８ｅをその肉厚方向に貫通する６個の破壊用孔９８ｋが形成されている。
【０１６２】
６個の破壊用孔９８ｋは、略リング状とされる部位（一点鎖線で示す円Ｙ１及び一点鎖線で示す円Ｙ２に囲まれるリング状部位）に沿って等間隔、しかも、略円弧状の開口形状を備えた状態に形成されている。尚、リング状部位９８ｊにおいて、破壊用孔９ｋの間に位置する箇所（破壊用孔９８ｋが形成されていない箇所であって、以下、「破壊部位」という。）９６ｍの円弧長は、破壊用孔９８ｋの円弧長よりも小さく（１／１０〜１／２）されている。そして、破壊部位９６ｍを工具（ニッパー）等で破壊（破断）することで、周壁部９８ｄと内側押圧部９８ｂとが容易に分離される。
【０１６３】
（４）主制御基板収納用ユニット８０の封止方法
次に、主制御基板収納用ユニット８０の封止方法の具体例を説明する。すなわち、主制御基板収納用ユニット８０の封止は、（ａ）カバー部材９２をケース本体８２に対して「閉鎖取付状態」に取り付けた後、主制御基板収納用ユニット８０の上下に並ぶ６個の筒状壁９５ｂのうちので、最上部に位置する筒状壁９５ｂ若しくは最下部に位置する筒状壁９５ｂに封止ピン９６及び防犯キャップ９８を装着することで行われる。或いは、（ｂ）カバー部材９２をケース本体８２に対して「閉鎖取付状態」に取り付けるとともに、装着用空間部８５ｆに取付部材８７を装着した後、主制御基板収納用ユニット８０の上下に並ぶ６個の筒状壁９５ｂのうちの何れかに封止ピン９６及び防犯キャップ９８を装着することで行われる。
【０１６４】
主制御基板収納用ユニット８０の上下に並ぶ６個の筒状壁９５ｂのうちの何れを対象とする場合においても、封止ピン９６及び防犯キャップ９８の装着は以下のように行われる。先ず、図３２に示すように、封止ピン９６の先端部（脚部９６ｂ、９６ｃの突端部）を先頭に、封止ピン９６を対象となる筒状壁９５ｂに挿入する。そして、この封止ピン９６の先端部（脚部９６ｂ、９６ｃの突端部）を先頭部を、対象となる筒状壁９５ｂの内側に位置するピン差込孔（Ｐ１〜Ｐ６のうちの何れか）の入口部（筒状壁９５ｂの開口部側に位置する開口部）、つまり、「差し込み案内部９５ｖ」の方向に向かって挿入する。但し、この際、この封止ピン９６の取付姿勢（その軸心回りの取付姿勢）を、標識（文字、図形等で構成可能な標識）９５ｗの姿勢（封止ピン９６の軸心回りの取付姿勢）を頼りに以下のように定める。つまり、一対の「第１の係合部９６ｈ」が上下に配設され、一対の「第２の係合部９６ｊ」が左右に配設されるようにする。これにより、一対の連結片９６ｍ、９６ｍは左右に配設された状態となるように定める。
【０１６５】
このように、封止ピン９６の挿入を行うと、封止ピン９６先端の「第３の係合部９６ｘの案内面Ｍ１」が、差し込み案内部９５ｖと前後に位置合わせされつつ対向する状態（封止ピン９６の軸心と、ピン挿入孔Ｐ１〜Ｐ６の軸心とが同一線上に並んだ状態）となる。また、頭本体９６ｄの軸心方向に沿った約半分が、対象となる筒状壁９５ｂ内に挿入される。この頭本体９６ｄの挿入に際して、第２の係合部９６ｊの案内面Ｍ１が、筒状壁９５ｂの開口部と摺動して、第２の係合部９６ｊが封止ピン９６の開口部から封止ピン９６の軸心方向に押圧される。このため、左右一対の腕部９６ｇは、その突端部相互の間隔を狭めるように撓みつつ、対象となる筒状壁９５ｂ内に挿入される。そして、上下一対の第１の係合部９６ｈが、筒状壁９５ｂの開口部と当接した位置（挿入位置）で、封止ピン９６の挿入を１時中止する。以下、封止ピン９６のこのような装着状態を、「仮挿入状態」という。
【０１６６】
このように、封止ピン９６を「仮挿入状態」とした後、図３３〜図３５に示すように、防犯キャップ９８が頭本体９６ｄの前方から（筒状壁９５の開口部の側から）、筒状壁９５に装着されるが、この際、防犯キャップ９８が頭本体９６ｄを筒状壁９５の奥側に押圧する。すなわち、防犯キャップ９８の内側（天井部９８ｅの裏面部）を、頭本体９６ｄに同心状に対向させつつ、防犯キャップ９８の内側に頭本体９６ｄ（対象となる筒状壁９５ｂから突出している部分）に挿入するとともに、防犯キャップ９８をカバー側封止部９５の側に押圧する。
【０１６７】
この押圧によって封止ピン９６が（後方に）押し込まれるが、この「封止ピン９６に加えられる押し込み量」が所定量となると、一対の第３の係合部９６ｘが差し込み案内部９５ｖに当接する。そして、この押し込み量を更に増加させると、図３３（ａ）及び（ｂ）に示すように、封止ピン９６の一対の第３の係合部９６ｘが、差し込み案内部９５ｖに押圧されて相互の間隔を小さくする。つまり、一対の第３の係合部９６ｘの外接円（前述の外接円ＳＲ）の直径は、「封止ピン９６の反差し込み方向」に向かって徐々に拡大されるのに対して、差し込み案内部９５ｖの内径は「封止ピン９６の差し込み方向に沿って徐々に絞られる。このため、封止ピン９６の押し込みによって、両脚部９６ｂ、９６ｃがその突端部（第３の係合部９６ｘ）を、封止ピン９６の軸心の位置に近づけるように撓むことになる。このため、一対の第３の係合部９６ｘはその外接円ＳＲの直径を、対象となるピン差込孔（Ｐ１〜Ｐ６のうちの何れかと、Ｓ１〜Ｓ６のうちの何れか）を通過可能なサイズまで縮小させる。
【０１６８】
「封止ピン９６に加えられる押し込み量」を更に増加させると、一対の第３の係合部９６ｘは、ケース側封止部８５の後方に到達する。そして、その時点で、一対の第３の係合部９６ｘはピン差込孔（Ｓ１〜Ｓ６のうちの何れか）による拘束（一対の第３の係合部９６ｘはその外接円を縮径させるような拘束）から開放されるため、一対の第３の係合部９６ｘは弾性によって変形前の状態（前述の「第３の係合部９６ｘを、封止ピン９６の軸心の位置に近づけるように撓む前の状態」）に復帰する。
【０１６９】
そして、一対の第３の係合部９６ｘはその係合面Ｍ２を、ケース側封止部８５の後面部（つまり、後面部のうちで、ピン差込孔Ｓ１〜Ｓ６の周縁に位置する部位）に当接させることになる。尚、封止ピン９６がピン差込孔Ｓ１に差し込まれる場合、第３の係合部９６ｘは「筒状部８５ｅの貫通孔８５１ｅ（図１８を参照）」を通過してケース側封止部８５の後面部に係合される。
【０１７０】
このように、第３の係合部９６ｘをケース側封止部８５に係合させる際に、封止ピン９６が、内側押圧部９８ｂの突端面と補助押圧部９８ｃの突端面とによって後方（ケース部材８）の側）に向かって押し込まれると同時に、「内側押圧部９８ｂの外周面と周壁部９８ｄの内周面との間の隙間部９８ｆ」に、対象となる筒状壁９５ｂが圧入される。しかも、封止ピン９６の他の係合部９６ｈ、９６ｊが、筒状壁９５の被係合面Ｋ１１、Ｋ１１、Ｋ２１、Ｋ２１に係合する。
【０１７１】
つまり、図３４及び図３５に示すように、封止ピン９６の押し込みによって、上方に位置する第１の係合部９６ｈが上方の被係合溝Ｋ１に進入し、下方に位置する第１の係合部９６ｈが下方の被係合溝Ｋ１に進入する。同時に、左側方に位置する第２の係合部９６ｊが左側方の被係合溝Ｋ２に進入し、右側方に位置する第２の係合部９６ｊが右側方の被係合溝Ｋ２に進入する。そして、各係合部９６ｈ、９８ｊの係合面Ｍ２は、各被係合溝Ｋ１、Ｋ１、Ｋ２、Ｋ２の前端に位置する被係合面Ｋ１１、Ｋ１１、Ｋ２１、Ｋ２１に当接する。
【０１７２】
このように、封止ピン９６はその軸心方向位置が異なる３箇所に、係合部９６ｈ、９６ｊ、９６ｘを備えているため、封止ピン９６を装着する際（押し込み作業の際）に、これらの係合部９６ｈ、９６ｊ、９６ｘに弾性変形を与えることが必要となる。しかも、各軸心方向位置には、頭本体９６ｄの径方向に沿って対向する２箇所に、係合部９６ｈ、９６ｈ、９６ｊ、９６ｊ、９６ｘ、９６ｘを備える。このため、封止ピン９６をその軸心方向に正確に押圧して、各軸心方向位置には、頭本体９６ｄの径方向に沿って対向する２箇所の係合部（９６ｈ及び９６ｈ、９６ｊ及び９６ｊ、９６ｘ及び９６ｘ）を均等に弾性変形させ、封止ピン９６の軸心の方向に「ぶれ（筒状壁９５の軸心と同一直線上にある封止ピン９６の軸心が、この同一直線からぶれること）」を生じないようにしつつ、封止ピン９６の押し込みを行うことが必要となるが、本実施例では、防犯キャップ９８を用いて、封止ピン９６をこのように押し込むことができる。
【０１７３】
つまり、防犯キャップ９８は、その装着の際に、「内側押圧部９８ｂの外周面と周壁部９８ｄの内周面との間の隙間部９８ｆ」に対象となる筒状壁９５ｂを圧入することで装着姿勢が一義的に定まるため、防犯キャップ９８の軸心と、筒状壁９５の軸心とを確実に同一直線上に揃えることができる。そして、この状態の防犯キャップ９８であれば、封止ピン９６の軸心の方向に「ぶれ」を生じないようにしつつ、封止ピン９６の押し込みを行うことができるからである。
【０１７４】
封止ピン９６を押し込み作業を完了すると、仮に、封止ピン９６を「反押し込み方向」に抜き取ろうとしても、図３４及び図３５に示すように、各第３の係合部９６ｘの係合面Ｍ２とケース側封止部８５の後面部、及び、各係合部９６ｈ、９８ｊの係合面Ｍ２と各被係合溝Ｋ１、Ｋ２の被係合面Ｋ１１、Ｋ２１とが、封止ピン９６の抜き取りを止めるように当接（係合）するため、主制御基板収納用ユニット８０を封止することができる。
【０１７５】
しかも、防犯キャップ９８が、そのリング状に構成される隙間部９８ｆに筒状壁９５ｂの全体を圧入しつつ、筒状壁９５ｂに装着される。つまり、防犯キャップ９８がその周壁部９８ｄと内側押圧部９８ｂとによって筒状壁９５ｂを堅固に挟着しつつ、筒状壁９５ｂに装着されるため、防犯キャップ９８に破壊を加えることなく、筒状壁９５ｂから取り外すことは困難である。
【０１７６】
尚、本実施例では、防犯キャップ９８の装着の際に封止ピン９６を押し込む態様について説明したが、各請求項の発明は、封止ピン９６を押し込みと、防犯キャップ９８の装着とを別個に行う態様を排除するものではない。例えば、作業者の指、工具等を用いて、封止ピン９６を押し込んだ後に、対象となる筒状壁９５ｂに防犯キャップ９８を装着してもよい。
【０１７７】
また、主制御基板収納用ユニット８０の開放は、例えば、以下の手順で行われる。先ず、筒状壁９５ｂに装着された防犯キャップ９８の破壊部位９６ｍを、工具（ニッパー）等で破壊（破断）し、周壁部９８ｄと内側押圧部９８ｂを分離する。これにより、防犯キャップ９８のうちで、概ね周壁部９８ｄのみが筒状壁９５ｂに装着された状態で残るが、周壁部９８ｄは既に内側押圧部９８ｂと分離されるため（既に、筒状壁９５ｂを挟持する状態にはなく、単に、筒状壁９５ｂに外嵌された状態に止まるため）、周壁部９８ｄを対象となる筒状壁９５ｂから取り外すことは容易である。
【０１７８】
周壁部９８ｄを対象となる筒状壁９５ｂから取り外した後、各連結片９６ｍ、９６ｍを、工具（ニッパー）等で破壊（破断）すると、図３６（ａ）に示すように、「支持本体部９６ｋ及び脚部９６ｂ、９６ｃからなるピン本体部分９６ｐ」を、頭本体９６ｄ｛図３６（ａ）では、破線で表示｝から分離することができる。この場合、支持本体部９６ｋに各連結片９６ｍ、９６ｍの一部若しくは全部が残る場合もあるが、各連結片９６ｍ、９６ｍは、左右に対向配置される逃がし孔９５ｘ、９５ｘを通過可能なサイズとされている。このため、支持本体部９６ｋを後方に押圧すると、各連結片９６ｍ、９６ｍは逃がし孔９５ｘ、９５ｘを通過してカバー部材９２の後方に到達させることができる（矢印Ｙ５の方向）。
【０１７９】
そして、カバー部材９２をケース部材８１から取り外すと、「支持本体部９６ｋ及び脚部９６ｂ、９６ｃからなるピン本体部分９６ｐ」がケース部材８１の側に残り、頭本体９６ｄが周壁部９８ｄ内に残される。このとき、カバー部材９２及びケース部材８１に残る封止ピン９６の構成部分と、カバー部材９２に残る防犯キャップ９８の構成部分とは、何れも破壊品（封止ピン９６や防犯キャップ９８を破壊したもの）である。このため、これらを視認する者（パチンコホールの店員等）は、主制御基板収納用ユニット８０の開放が既に行われたことを、直ちに認識することができる。
【０１８０】
（５）主制御基板収納用ユニット８０の使用例
次に、主制御基板収納用ユニット８０の使用例について説明する。但し、主制御基板収納用ユニット８０の使用態様は以下に例示する使用例に限定されるものではない。
【０１８１】
本実施例の遊技機１を製造メーカから出荷する際に、最上部の筒状壁９５ｂに、封止ピン９６及び防犯キャップ９８を装着して、この筒状壁９５ｂに対応するピン差込孔（Ｐ１及びＳ１）に封止ピン９６を差し込み、カバー部材９２及びケース本体８２の封止（主制御基板収納用ユニット８０の封止）と、封止の解除阻止とを行う。この状態で、主制御基板収納用ユニット８０は、ステー７０を用い外郭本体部３Ａ内に固定される。このステー７０としては、例えば、図３７に示すように、左右に複数設けられた把持部７３、７３によって、主制御基板収納用ユニット８０の幅方向に沿った複数箇所に把持する把持部７３、７３を備えるものを例示できる。
【０１８２】
ここで例示するステー７０は、図３７及び図３８に示すように、外郭本体部３Ａに固定される背板部７１と、背板部７２の下縁部から前方に突出する底板部７２と、左右に複数設けられた把持部７３、７３とを備える。また、把持部７１、７２はステー７０の上端から前方に突出するフック７３ａと、ステー７０の下端から前方に突出するフック７３ｂとを上下に対向する状態に備える。これらのフック７３ａ、７３ｂは互いの突端部間の間隔を拡大させるように変形することが可能とされている。
【０１８３】
本実施例では、先ず、背板部７１の右端側に取付部材８７が取り付けられる（図４１を参照）。この取付部材８７の取付に際しては、取付部材８７の位置決め用突起８７ｐ、８７ｑ、８７ｒを、ステー７０の対応する位置決め穴７０ａ、７０ｂ、７０ｃを嵌合して取付部材８７のステー７０に対する位置決めが行われる。また、取付部材８７のステー７０に対する固定方法は種々選択でき、例えば、接着、ネジ止め、係合、嵌合等を例示できる。更に、取付部材８７を背板部７１に装着すると、突部Ｔ２、Ｔ３、Ｔ４、Ｔ５がこの順で、上方から下方に向かって並んだ状態となる。
【０１８４】
次いで、前述のように、封止ピン９６及び防犯キャップ９８で封止及びその解除阻止が施された「カバー部材９２及びケース本体８２」を、ステー７０に装着する。この装着は把持部７３、７３で主制御基板収納用ユニット８０の幅方向に沿った複数箇所に把持するとともに、図４０に示すように、ケース本体８２の取付用突起８５ｇの取付孔８５ｈと、背板部７１の右端側で開口する取付穴７１ｇとを前後に位置合わせし、所定のビスＢ５の軸部を、取付用突起８５ｇの前方から取付孔８５ｈを通じて取付穴７１ｇに螺合することで完了する。
【０１８５】
このように、「カバー部材９２及びケース本体８２」を、ステー７０に装着すると、ケース本体８２の装着用空間部８５ｆに取付部材８７が装着された状態となる。つまり、各突部Ｔ２〜Ｔ５が前後に対応する連通口Ｒ２〜Ｒ５に正しく挿入された状態で、装着用空間部８５ｆに取付部材８７が装着される。つまり、取付部材８７を装着用空間部８５ｆに装着した状態でケース本体８２にカバー部材９２を装着すると、「封止本体８５ａ（連通口Ｒ２〜Ｒ５を除く部分）」が、「取付部材８７の前面部のうちで、各突部Ｔ２〜突部Ｔ５の周囲に位置する部位」と、「カバー部材９２の封止本体９５ａ」とで挟持された状態となる。
【０１８６】
そして、この状態で遊技機１を使用しても（遊技者の使用に供しても）よいが、主制御基板収納用ユニット８０を、遊技機１側にも封止した状態で使用することもできる。つまり、上方から２番目から５番目のうちの何れかの位置の筒状壁９５ｂに、封止ピン９６及び防犯キャップ９８を装着して、この筒状壁９５ｂに対応するピン差込孔（Ｐ２及びＳ２、Ｐ３及びＳ３、Ｐ４及びＳ４、Ｐ５及びＳ５）に封止ピン９６を差し込み、主制御基板収納用ユニット８０の封止と、封止の解除阻止とを更に行うとともに、主制御基板収納用ユニット８０を遊技機１に固定してもよい。
【０１８７】
一方、遊技機１のメンテナンスや、遊技機１の検査等のために、主制御基板収納用ユニット８０を開放すること（封止を解除すること）が必要となる場合は、主制御基板収納用ユニット８０に装着された封止ピン９６及び防犯キャップ９８を破壊すればよい。そして、本実施例の主制御基板収納用ユニット８０では、筒状壁９５ｂ及びピン差込孔（Ｐ１〜Ｐ６、Ｓ１〜Ｓ６）を６組備えるため、主制御基板収納用ユニット８０を最高「５回」開放することができる。但し、本実施例では、取付部材８７のみを新たなものに変更することで、主制御基板収納用ユニット８０を開放回数を更に多くすることもできる。
【０１８８】
尚、本実施例の取付部材８７は、各領域部Ｄ２〜Ｄ５の後方にピン差込室８７ｋを備えると共に、このピン差込室８７ｋを前後に仕切る仕切壁８７ｍに前後に対応するピン差込孔Ｓ２〜Ｓ５と同心状とされた貫通孔８７ｎが形成されている。このため、主制御基板収納用ユニット８０の封止解除に伴って、取付部材８７側に残る「封止ピン９６の構成部分」、つまり、「支持本体部９６ｋ及び脚部９６ｂ、９６ｃからなるピン本体部分９６ｐ」を、図３６（ｂ）に示すように、後方（貫通孔８７ｎの方向）に押し込むことができる。これにより、第３の係合部９６ｘを仕切壁８７ｍの後面部に係合することができる。
【０１８９】
すなわち、一対の第３の係合部９６ｘにその距離を縮少させるような変形を与えつつ、貫通孔８７ｎを通過させ、第３の係合部９６ｘの係合面Ｍ２を仕切壁８７ｍの後面部に当接させる。この場合、「支持本体部９６ｋ及び脚部９６ｂ、９６ｃからなるピン本体部分９６ｐ」が、取付部材８７から抜け出ることを防止できる。しかも、取付部材８７の前面部の逃がし用凹部ＳＶに、ピン本体部分９６ｐに残る連結片９６ｍ、９６ｍが収納され、突出しない状態（取付部材８７の前面部から突出しない状態）とされるため、「ピン本体部分９６ｐ」によって、以後の封止作業（主制御基板収納用ユニット８０の封止作業）の作業性を損なうことを防止できる。
【０１９０】
また、第１の領域部Ｄ１の後方に筒状部８５ｅを備える（図１７及び図１８を参照）と共に、筒状部８５ｅの内部空間が前後に対応するピン差込孔Ｓ１と同心状とされつつ連通している。このため、主制御基板収納用ユニット８０の封止解除に伴って、第１の領域部Ｄ１に残る「封止ピン９６の構成部分」、つまり、「支持本体部９６ｋ及び脚部９６ｂ、９６ｃからなるピン本体部分９６ｐ」を後方に押し込むことができる。これにより、第３の係合部９６ｘを筒状部８５ｅの後端部に係合することができる。この場合も、「ピン本体部分９６ｐ」が、第１の領域部Ｄ１から抜け出ることを防止できる。しかも、第１の領域部Ｄ１の前面部の逃がし用凹部ＳＶに、ピン本体部分９６ｐに残る連結片９６ｍ、９６ｍが収納され、突出しない状態とされるため、「ピン本体部分９６ｐ」によって、以後の封止作業（主制御基板収納用ユニット８０の封止作業）の作業性を損なうことを防止できる。
【０１９１】
尚、本実施例の主制御基板収納用ユニット８０においては、使用前の筒状壁９５ｂ（封止ピン９６の差し込み作業が施される前の筒状壁９５ｂ）の取り扱いを種々選択することができる。例えば、使用前の筒状壁９５ｂに対しては、封止ピン９６を、前述の「仮挿入状態」で装着してもよい。この場合、使用時には、所定の「仮挿入状態の封止ピン９６」を、対応する筒状壁９５ｂに装着される防犯キャップ９８で押し込めばよい。
【０１９２】
例えば、図４２に示すように、主制御基板収納用ユニット８０の全ての筒状壁９５ｂに対して、封止ピン９６を「仮挿入状態」で装着する。そして、使用時に、所定の「仮挿入状態の封止ピン９６」を、対応する筒状壁９５ｂに装着される防犯キャップ９８で押し込めばよい。より具体的には、上方の位置する封止ピン９６若しくは下方の位置する封止ピン９６が、順次、防犯キャップ９８で押し込む態様を例示することができる。
【０１９３】
（５）実施例の効果
以上の実施例の遊技機１では、防犯キャップ９８が、そのキャップ本体９８ａの周壁部９８ｄと、内側押圧部９８ｂとで筒状壁９５ｂを挟持するため、痕跡を残さずに防犯キャップ９８をカバー部材９２から取り外すことが困難である。よって、本実施例の制御基板収納用ユニット８０においては、「防犯キャップ９８を不正に取り外し、その封止を不正に解除するという不正行為」を施すことが困難である。
【０１９４】
しかも、仮に、不正行為が行われた場合でも、破壊された防犯キャップ９８によって不正行為の痕跡を残るため、「不正行為の実行」を早期に発見することができる。更に、本実施例の主制御基板収納用ユニット８０には、防犯キャップ９８を装着する作業と、封止ピン９６を装着する作業とを同時に、しかも、工具を用いずに行うことができる。
【０１９５】
このように、本実施例によると、不正行為の防止と、仮に不正行為が施された場合の早期発見とを可能としつつも、「封止ピン９６を用いた封止作業」と、「防犯キャップ９８を用いた封止解除の阻止作業」とを同時に行うことができる。このため、本実施例によると、組立作業の手間を少なくしつつ、不正行為の防止を図る上で有効な制御基板収納用ユニット８０を得ることができる。但し、本実施例は、「封止ピン９６を用いた封止作業」と「防犯キャップ９８を用いた封止解除の阻止作業」とを別々に行う態様を排除するものではない。
【０１９６】
また、本実施例では、内側押圧部９８ｂを略円筒形状に構成し、筒状壁９５ｂとの間の接触面を十分に確保されるため、防犯キャップ９８を筒状壁９５ｂに堅固に装着できる。また、本実施例では、このように、防犯キャップ９８の筒状壁９５ｂへの堅固な装着を可能としつつも、修理・保守等の際に、主制御基板収納用ユニット８０を開放状態とすることが容易である。
【０１９７】
更に、本実施例では、複数組のピン差込部（Ｐ１〜Ｐ６、Ｓ１〜Ｓ６）及び筒状壁９５ｂを用いて、主制御基板収納用ユニット８０の封止と封止の解除とを複数回に渡って繰り返すことができるため、主制御基板収納用ユニット８０の利便性（特に、メンテナンス、検査等の利便性）が向上する。また、本実施例では、各封止ピン９６に設けられた合計６個の係合部９６ｈ、９５ｊ、９５ｄを用いて、封止ピンを筒状壁９５ｄ等に堅固に係合させることができる。しかも、このように、封止ピン９６が合計６個の係合部９６ｈ、９５ｊ、９５ｄを備えているが、この封止ピン９６の差し込み作業を、頭部９６ａよりもサイズ（円形の場合、外径）が大きな封止キャップ９８を介して行うため、この差し込み作業を円滑に行うことができる。
【０１９８】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１９９】
即ち、本実施例は回胴式遊技機への適用例であったが、図４３〜図４４に示す変形例のように、弾球遊技機が各請求項の発明の特徴を備えてもよい。
【０２００】
変形例に係る遊技機５００は、外枠５０２と、この外枠５０２に装着された遊技機本体５００Ｈとを備えている。このうち、外枠５０２は略矩形状の枠状体によって構成されるとともに、島設備５００Ｓに固定されている。また、遊技機本体Ｈは、外枠５０２の左端側上下のヒンジ５００Ｈ１、５００Ｈ２を用いて、外枠５０２の左端側に回動自在に組み付けてられている。この遊技機本体Ｈは、遊技機５００のうちで外枠５０２を除く部分であって、中枠５０３と、表扉枠（前面枠）５０４と、上皿部材５０５と、下皿部材５０６と、裏パック５１５等を主要部としている。
【０２０１】
中枠５０３は、外枠５０２の内側に嵌めこまれ、外枠５０２に対して開閉可能に軸支されている。そして、中枠５０３は遊技盤保持部（図示を省略）に、遊技盤（図示を省略）を受け入れて保持している。
【０２０２】
表扉枠（前面枠）５０４は、中枠５０３の前面側に配置され、中枠５０３の左端に開閉可能に支持されている。この表扉枠５０４は、扉枠本体５４１と、ガラス板５４３と、ガラス板５４３を扉枠本体５４１に保持させる（取り付ける）ための保持部材（図示を省略）と、を備えている。また、扉枠本体５４１は円形状の開口部５４１ａを有しているが、この開口部４１ａは表扉枠５０４を閉じた状態としたときに、表扉枠５０４の奥側（背後）に配置される遊技盤の盤面を、前方（遊技者の側）から視認可能とするためのものである。
【０２０３】
遊技機本体５００Ｈの前面部のうちで、表扉枠５０３の下方の部位が、上皿部材５０５と下皿部材５０６とを備える。また、上皿部材５０５は、上方に開口する容器形状に構成されると共に、その左端側の部位には、遊技機５００内から排出される遊技球を、上皿部材５０５の内部に導くための排出口５０５ｂが設けられている。更に、下皿部材５０６の略中央には、遊技機５００の内部から遊技球を排出するための排出口５０６ａが設けられている。また、下皿部材５０６の右端には発射ハンドル５０９が設けられている。
【０２０４】
遊技機５００の裏面部（後面部）には、遊技盤５１０の後面部（背面部）に装着された遊技機用部品と、中枠５０３の後面部の略全域を被覆する裏パック５１５とを備えている。また、裏パック５１５は一対のヒンジ（図示を省略）によって中枠５０３の後面部側に開閉可能に軸支されている。また、遊技盤の後面部（背面部）に装着された遊技機用部品としては、主制御部を構成する主制御基板が格納された主制御基板収納用ユニット５８０と、発射装置ユニットを制御する発射制御基板が格納された発射装置制御基板収納用ユニット（図示を省略）等がある。
【０２０５】
この主制御基板収納用ユニット５８０は、各請求項の発明の制御基板収納用ユニットの具体例を示すものであり、カバー部材５９２とケース部材５８１とを備えている。そして、カバー部材５９２をケース部材５８１に装着することで収納体５８８を構成し、「変形例に係る遊技機５００の主制御部を構成する主制御基板」を収納する。尚、この主制御部は、遊技の基本的な進行や賞球に関わる当否についての制御等を司る。
【０２０６】
この主制御基板収納用ユニット５８０は、ケース部材５８１をケース本体５８２のみで構成する点と、ケース部材５８１の開閉態様が異なる点とを除いて実施例１の主制御基板収納用ユニット８０と同様な構成を備える。つまり、変形例に係る主制御基板収納用ユニット５８０では、ケース部材５８１が遊技盤の後面部（背面部）にステーを介して係止され、この遊技盤の後面部（背面部）に固定されている。また、このケース部材５８１とカバー部材５９２とは、ケース部材５８１一端側のヒンジ機構５５２を介して連結されている。そして、ヒンジ機構５５２を支点にカバー部材５９２を回動させることで、主制御基板収納用ユニット５８０の開閉が行われる。
【０２０７】
そして、ケース部材５８１の他端側のケース側封止部５８５ａと、カバー部材５９２の他端側のカバース側封止部５９５ａとを重ね合わせ、実施例１と同様な封止ピン９６及び防犯キャップ９８（図示を省略）を用いて、ケース側封止部５８５ａ及びカバース側封止部５９５ａを固定して主制御基板収納用ユニット５８０の封止を行う。この変形例に示すように、各請求項の発明に係る制御基板収納用ユニットは、「カバー部材９２を、ケース部材８１（ケース本体８２）を基準にスライドさせて開閉される態様」に限定されない。
【０２０８】
また、本実施例では、ケース部材８１（ケース本体８２）に主制御基板１００Ａを取り付ける態様を例示したが、各請求項の発明では、カバー部材９２に主制御基板１００Ａを取り付けてもよい。また、ケース部材８１（ケース本体８２）と、カバー部材９２とが協働して、主制御基板１００Ａを保持してもよい。例えば、ケース部材８１（ケース本体８２）の取付部と、カバー部材９２の取付部とで主制御基板１００Ａを挟持しつつ、主制御基板１００Ａを保持してもよい。また、実施例及び変形例では、主制御基板１００Ａを収納するための制御基板収納用ユニット８０、５８０を例示したが、各請求項の発明は遊技機を構成する他の制御基板を収納するための制御基板収納用ユニットに適用することもできる。例えば、主制御基板１００Ａに、下位に接続される副制御基板（例えば、遊技機における演出を制御するための制御基板であって、主制御基板１００Ａからの信号の伝送が可能であるが、その逆は不可能とされるように、主制御基板１００Ａに接続されるもの等）を収納するための制御基板収納用ユニットに適用することもできる。
【産業上の利用可能性】
【０２０９】
本発明は、遊技機を製造、販売等する分野において利用できる。
【図面の簡単な説明】
【０２１０】
【図１】実施例に係る遊技機を示す正面図である。
【図２】実施例に係る遊技機の側面図である。
【図３】実施例に係る遊技機において受皿扉ユニットを開放した状態を示す斜視図である。
【図４】実施例に係る遊技機において外郭本体部を示す正面図である。
【図５】（ａ）は実施例に係る遊技機において図柄表示装置等の要部を説明するための説明図であり、（ｂ）は実施例に係る遊技機において、図柄表示装置で表示可能な図柄を説明するための説明図である。
【図６】実施例に係る遊技機に係る遊技機が備える電子制御装置を示すブロック図である。
【図７】成立が確定し得る図柄の組み合わせを説明するための説明図である。
【図８】実施例の主制御基板収納用ユニットの概略的な分解斜視図である。
【図９】実施例において、カバー部材及びケース部材を説明するための概略的な底面図（但し、主制御基板収納用ユニットの使用状態を基準とする底面図）である。
【図１０】図９の１−１断面図（に相当）である。
【図１１】実施例において、主制御基板収納用ユニットの底面図（但し、主制御基板収納用ユニットの使用状態を基準とする底面図）である。
【図１２】図１１のａ−ａ断面図である。
【図１３】実施例において、ケース本体の正面図（但し、主制御基板収納用ユニットの使用状態を基準とする正面図）である。
【図１４】図１３の２−２断面図である。
【図１５】（ａ）及び（ｂ）は上部スライド溝を説明するための断面図であり、（ｃ）及び（ｄ）は下部スライド溝を説明するための断面図である。
【図１６】実施例においてケース部材の要部を説明するための斜視図である。
【図１７】実施例においてケース部材の分解縦断面図である。
【図１８】実施例においてケース部材の要部分解縦断面図である。
【図１９】実施例においてケース部材の要部分解縦断面図である。
【図２０】（ａ）は実施例においてケース側封止部を示す一部正面図（但し、主制御基板収納用ユニットの使用状態を基準とする一部正面図）であり、（ｂ）は図２０（ａ）のｂ−ｂ断面図である。
【図２１】実施例において、カバー部材の正面図（但し、主制御基板収納用ユニットの使用状態を基準とする正面図）である。
【図２２】実施例において、カバー部材の背面図（但し、主制御基板収納用ユニットの使用状態を基準とする背面図）である。
【図２３】実施例においてカバー側封止部を示す正面図（但し、主制御基板収納用ユニットの使用状態を基準とする正面図）である。
【図２４】（ａ）は実施例において筒状壁の断面図（カバー側封止部に平行な断面）であり、（ａ）は図２３（ａ）の２１−２１断面図である。
【図２５】実施例において、カバー部材のケース部材（ケース本体）への装着方法を示す説明図である。
【図２６】実施例において封止ピン、筒状壁等を示す分解斜視図である
【図２７】実施例において封止ピン、筒状壁等を示す分解断面図である
【図２８】（ａ）は実施例において封止ピンの正面図（但し、主制御基板収納用ユニットの使用状態を基準とする正面図）であり、（ｂ）は図２８（ａ）のｃ−ｃ断面図である。
【図２９】（ａ）は実施例において封止ピンの平面図（但し、主制御基板収納用ユニットの使用状態を基準とする平面図）であり、（ｂ）は第３の係止部材の弾性変形を示す概略的な説明図である。
【図３０】（ａ）は実施例において防犯キャップの平面図（但し、主制御基板収納用ユニットの使用状態を基準とする平面図）であり、（ｂ）は実施例において防犯キャップの背面図（但し、主制御基板収納用ユニットの使用状態を基準とする背面図）である。
【図３１】（ａ）は図３０（ａ）のｇ−ｇ断面図であり、（ｂ）は図３１（ａ）のｈ−ｈ断面図である。
【図３２】実施例において封止ピン及び防犯キャップの装着方法を示す説明図である。
【図３３】（ａ）及び（ｂ）は実施例において封止ピン及び防犯キャップの装着方法を示す説明図である。
【図３４】（ａ）及び（ｂ）は実施例において封止ピン及び防犯キャップの装着方法を示す説明図である。
【図３５】（ａ）及び（ｂ）は実施例において封止ピン及び防犯キャップの装着方法を示す説明図である。
【図３６】（ａ）及び（ｂ）は実施例において主制御基板収納用ユニットの封止解除後の封止ピン等の状態を説明するための説明図である。
【図３７】実施例の主制御基板収納用ユニットの取付状態の一例を示す概略的な説明図である。
【図３８】実施例の主制御基板収納用ユニットの取付を行うためのステーを示す概略的な説明図である。
【図３９】実施例の主制御基板収納用ユニットの取付を行うためのステーを示す概略的な断面図である。
【図４０】（ａ）及び（ｂ）は実施例において主制御基板収納用ユニットの取付を行うためのステーを示す概略的な説明図である。
【図４１】実施例の主制御基板収納用ユニットを遊技機に取り付けた状態を示す概略的な断面図である。
【図４２】実施例の主制御基板収納用ユニットの使用例を示す斜視図である。
【図４３】変形例に係る遊技機を示す正面図である。
【図４４】変形例に係る遊技機の概略的な右側面図である。
【符号の説明】
【０２１１】
１；５００遊技機、
８０、５８０；主制御基板収納用ユニット（制御基板収納用ユニット）、
８１、５８１；ケース部材、
８２；ケース本体、
８８；収納体、
８５；ケース側封止部、
Ｓ１、Ｓ２、Ｓ３、Ｓ４、Ｓ５、Ｓ６；ピン差込孔（ピン差込部）、
８７；取付部材、
９２、５９２；カバー部材
９５；カバー側封止部、
９５ｂ；筒状壁、
Ｐ１、Ｐ２、Ｐ３、Ｐ４、Ｐ５、Ｐ６；ピン差込孔（ピン差込部）
９６；封止ピン、
９６ａ；頭部、
９６ｂ、９６ｃ；脚部、
９６ｈ；第１の係合部、
９６ｊ；第２の係合部、
９６ｘ；第３の係合部、
９８；防犯キャップ、
９８ａ；キャップ本体、
９８ｂ；内側押圧部、
９８ｄ；周壁部、
９８ｅ；天井部、
９８ｆ；隙間部、
９８ｋ；破壊用孔、
１００Ａ；主制御基板（制御基板）。
【図１】
0004736062.tif 000002
【図２】
0004736062.tif 000003
【図３】
0004736062.tif 000004
【図４】
0004736062.tif 000005
【図５】
0004736062.tif 000006
【図６】
0004736062.tif 000007
【図７】
0004736062.tif 000008
【図８】
0004736062.tif 000009
【図９】
0004736062.tif 000010
【図１０】
0004736062.tif 000011
【図１１】
0004736062.tif 000012
【図１２】
0004736062.tif 000013
【図１３】
0004736062.tif 000014
【図１４】
0004736062.tif 000015
【図１５】
0004736062.tif 000016
【図１６】
0004736062.tif 000017
【図１７】
0004736062.tif 000018
【図１８】
0004736062.tif 000019
【図１９】
0004736062.tif 000020
【図２０】
0004736062.tif 000021
【図２１】
0004736062.tif 000022
【図２２】
0004736062.tif 000023
【図２３】
0004736062.tif 000024
【図２４】
0004736062.tif 000025
【図２５】
0004736062.tif 000026
【図２６】
0004736062.tif 000027
【図２７】
0004736062.tif 000028
【図２８】
0004736062.tif 000029
【図２９】
0004736062.tif 000030
【図３０】
0004736062.tif 000031
【図３１】
0004736062.tif 000032
【図３２】
0004736062.tif 000033
【図３３】
0004736062.tif 000034
【図３４】
0004736062.tif 000035
【図３５】
0004736062.tif 000036
【図３６】
0004736062.tif 000037
【図３７】
0004736062.tif 000038
【図３８】
0004736062.tif 000039
【図３９】
0004736062.tif 000040
【図４０】
0004736062.tif 000041
【図４１】
0004736062.tif 000042
【図４２】
0004736062.tif 000043
【図４３】
0004736062.tif 000044
【図４４】
0004736062.tif 000045